(57)【要約】  本発明は干渉要因毎に適切な最適化処理を行うことを可能とするシステム、方法、装置を提供する。第１の無線局（ｅＮＢ１）と、前記第１の無線局と同種の第２の無線局（ｅＮＢ２）及び／又は前記第１の無線局（ｅＮＢ１）と異種の第３の無線局（ＨｅＮＢ）と、前記第１の無線局に帰属する無線端末（ＵＥ）と、前記第１乃至３の無線局の少なくとも１つの無線局と設定情報を交換する運用管理サーバ（ＯＡＭ／ＳＯＮサーバ）と、を備え、前記第１の無線局（ｅＮＢ１）は、前記無線端末に対して１つ以上の前記第２又は前記第３の無線局から受ける干渉の測定を指示し、前記無線端末（ＵＥ）は、前記指示に従い測定を行い、前記第１の無線局（ｅＮＢ１）及び／又は前記運用管理サーバ（ＯＡＭ／ＳＯＮサーバ）は、前記無線端末による測定結果の報告を受け、前記報告から前記無線局の種類を識別して、前記第１乃至第３の無線局の少なくとも１つの該等する無線局の無線ネットワーク設定の変更の要否の判断、及び／又は、前記無線ネットワーク設定の変更を実行する。
2012043307.tif 000002
【特許請求の範囲】
【請求項１】
第１の無線局と、
前記第１の無線局と同種の第２の無線局及び／又は前記第１の無線局と異種の第３の無線局と、
前記第１の無線局に帰属する無線端末と、
前記第１乃至第３の無線局の少なくとも１つと設定情報を交換する運用管理サーバと、
を備え、
前記第１の無線局は、前記無線端末に対して１つ以上の前記第２又は前記第３の無線局からの下り信号の受信品質の測定を指示し、
前記無線端末は、前記指示に従い前記測定を行い、
前記第１の無線局及び前記運用管理サーバの少なくとも１つが、
前記無線端末による測定結果の報告を受け、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた、ことを特徴とする無線通信システム。
【請求項２】
前記第１の無線局及び前記運用管理サーバの少なくとも１つによる前記無線ネットワーク設定の変更が、カバレッジ及びセル間干渉の少なくとも１つの最適化を目的とするものである、ことを特徴とする請求項１記載の無線通信システム。
【請求項３】
前記第１の無線局及び前記運用管理サーバの少なくとも１つは、
前記第２の無線局からの干渉又は干渉信号の受信品質が予め定められた第１の所定レベル以下であり、且つ、
前記第３の無線局からの干渉又は干渉信号の受信品質が予め定められた第２の所定レベル以上である場合、
前記無線ネットワーク設定の変更を行わない、ことを特徴とする請求項１又は２記載の無線通信システム。
【請求項４】
前記第１の無線局及び前記運用管理サーバの少なくとも１つは、
前記第２の無線局からの干渉又は干渉信号の受信品質が予め定められた第１の所定レベル以下であり、且つ、
前記第３の無線局からの干渉又は干渉信号の受信品質が予め定められた第２所定レベル以上である場合、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１又は２記載の無線通信システム。
【請求項５】
前記第１の所定レベルと前記第２の所定レベルの間に所定のオフセット値を有する、ことを特徴とする請求項３又は４記載の無線通信システム。
【請求項６】
前記第１の無線局及び前記運用管理サーバの少なくとも１つは、
前記第２の無線局からの干渉又は干渉信号の受信品質が予め定められた第３の所定レベル以上である報告が予め定められた第１の所定閾値未満であり、且つ、
前記第３の無線局からの干渉又は干渉信号の受信品質が予め定められた第４の所定レベル以上である報告が、予め定められた第２の所定閾値以上である場合、
前記無線ネットワーク設定の変更を行わない、ことを特徴とする請求項１又は２記載の無線通信システム。
【請求項７】
前記第１の無線局及び前記運用管理サーバの少なくとも１つは、
前記第２の無線局からの干渉又は干渉信号の受信品質が予め定められた第３の所定レベル以上である報告が予め定められた第１の所定閾値未満であり、且つ、
前記第３の無線局からの干渉又は干渉信号の受信品質が予め定められた第４の所定レベル以上である報告が予め定められた第２の所定閾値以上である場合、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１又は２記載の無線通信システム。
【請求項８】
前記第３の所定レベルと前記第４の所定レベルの間に所定のオフセット値を有する、ことを特徴とする請求項６又は７記載の無線通信システム。
【請求項９】
前記第１、第２の無線局がマクロセルの基地局であり
前記第３の無線局がフェムトセルの基地局であり、
前記無線端末は、前記第１の無線局からの測定の指示を受け、帰属するマクロセルと隣接セルの下り信号の受信品質を測定し、測定結果を前記第１の無線局に報告し、
前記第１の無線局は、前記無線端末からの前記報告を前記運用管理サーバに送信し、
前記運用管理サーバでは、前記無線端末から前記第１の無線局を介して送信された測定報告の内容を測定の対象となった隣接セルの種類別に集計し、
隣接セルの受信品質が予め定められた所定値以上である報告が、予め定められた所定数以上である隣接セルがマクロセルの場合、
前記マクロセルの最適化が必要と判断し、
隣接セルの受信品質が前記所定値以上である報告が前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、ことを特徴とする請求項２記載の無線通信システム。
【請求項１０】
前記第１、第２の無線局がマクロセルの基地局であり
前記第３の無線局がフェムトセルの基地局であり、
前記無線端末は、前記第１の無線局からの測定の指示を無線で受け、帰属するマクロセルと隣接セルの受信品質を測定し、測定結果を前記第１の無線局に報告し、
前記第１の無線局では、前記無線端末から前記第１の無線局を介して送信された測定報告の内容を測定の対象となった隣接セルの種類別に集計した上で前記運用管理サーバに報告し、
前記運用管理サーバでは、
隣接セルの受信品質が予め定められた所定値以上である報告が、予め定められた所定数以上の隣接セルがマクロセルの場合、
前記マクロセルの最適化が必要と判断し、
隣接セルの受信品質が前記所定値以上である報告が前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、ことを特徴とする請求項２記載の無線通信システム。
【請求項１１】
前記第１の無線局及び前記運用管理サーバの少なくとも１つは、
隣接セルの受信品質が前記所定値以上である報告が前記所定数以上の前記隣接セルがマクロセルである場合には、
カバレッジ増減によるカバレッジ最適化を実行し、
フェムトセルである場合には、フェムトセルからの干渉回避を実行する、ことを特徴とする請求項６記載の無線通信システム。
【請求項１２】
前記第１、第２の無線局がマクロセルの基地局であり
前記第３の無線局がフェムトセルの基地局であり、
前記無線端末は、前記第１の無線局からの測定の指示を無線で受け、帰属するマクロセルと隣接セルの受信品質を測定し、測定結果を前記第１の無線局に報告し、
前記第１の無線局では、
前記無線端末から前記第１の無線局を介して送信された測定報告の内容を測定の対象となった隣接セルの種類別に集計し、前記第１の無線局で最適化が必要であると判断した場合、最適化を実行した上で前記運用管理サーバに報告し、
前記運用管理サーバでは、
隣接セルの受信品質が予め定められた所定値以上である報告が、予め定められた所定数以上の隣接セルがマクロセルの場合、
前記マクロセルの最適化が必要と判断して最適化を実行し、
隣接セルの受信品質が前記所定値以上である報告が前記所定数以上の隣接セルがフェムトセルの場合、
前記フェムトセルの最適化が必要と判断し、
対応する前記第２の無線局又は前記第３の無線局に対して最適化のために前記無線ネットワーク設定の調整を指示する、ことを特徴とする請求項１又は２記載の無線通信システム。
【請求項１３】
前記第１、第２の無線局がマクロセルの基地局であり
前記第３の無線局がフェムトセルの基地局であり、
前記第１の無線局のセルに隣接するフェムトセルの基地局からの下りリファレンス信号の受信品質（ＲＳＲＰ（Ｒｅｆｅｒｅｎｃｅ  Ｓｉｇｎａｌ  Ｒｅｃｅｉｖｅｄ  Ｐｏｗｅｒ）／ＲＳＲＱ（Ｒｅｆｅｒｅｎｃｅ  Ｓｉｇｎａｌ  Ｒｅｃｅｉｖｅｄ  Ｑｕａｌｉｔｙ））が予め定められた所定値以上である報告件数が、予め定められた所定数以上あり、且つ、
前記第１の無線局のセルに隣接するマクロセルの基地局からの下りリファレンス信号の受信品質（ＲＳＲＰ／ＲＳＲＱ）が予め定められた所定値以上である報告件数が、前記所定数未満である場合には、
マクロセル間のカバレッジ増減、干渉回避は行わず、
前記隣接マクロセルの基地局からの下りリファレンス信号の受信品質（ＲＳＲＰ／ＲＳＲＱ）が予め定められた所定値以上である報告件数が予め定められた前記所定値以上の場合には、
マクロセルのカバレッジ増減、干渉回避の為の最適化を行う、ことを特徴とする請求項１又は２記載の無線通信システム。
【請求項１４】
前記無線端末は、アイドル状態で測定及び記録を行い、
アイドル状態で、カバレッジホールを検出したのち、前記第１の無線局と無線リンクを確立してアクティブ状態となり、前記第１の無線局に測定結果を報告する、ことを特徴とする請求項１又は２記載の無線通信システム。
【請求項１５】
前記第１、第２の無線局がマクロセルの基地局であり
前記第３の無線局がフェムトセルの基地局であり、
前記第１の無線局が、
フェムトセルの干渉が支配的である報告を予め定められた所定数以上受けていても、マクロセルのカバレッジ最適化の為の無線ネットワーク設定の変更は行なわず、
隣接マクロセルの干渉が支配的である報告を予め定められた所定数以上受けている場合には、
前記隣接マクロセルの基地局の無線ネットワーク設定を変更し、カバレッジ最適化を図る、ことを特徴とする請求項１又は２記載の無線通信システム。
【請求項１６】
第１の無線局から無線端末に対して、前記第１の無線局と同種の第２の無線局及び前記第１の無線局と異種の第３の無線局の少なくとも一方からなる１つ以上の無線局から受ける干渉の測定を指示し、
前記無線端末は前記指示に従い測定を行い、
前記第１の無線局及び運用管理サーバの少なくとも１つにより、
前記無線端末による測定結果の報告を受け、前記報告から前記無線局の種類を識別して、前記第１の無線局乃至第３の無線局の少なくとも１つの無線局の無線ネットワーク設定の変更の要否の判断、及び前記無線ネットワーク設定の変更の少なくとも１つを実行する、ことを特徴とする無線通信方法。
【請求項１７】
前記第１の無線局及び前記運用管理サーバの少なくとも１つによる無線ネットワーク設定の変更が、カバレッジ及びセル間干渉の少なくとも１つの最適化を目的とするものである、ことを特徴とする請求項１６記載の無線通信方法。
【請求項１８】
前記第１の無線局及び前記運用管理サーバの少なくとも１つでは、
前記第２の無線局からの干渉又は干渉信号の受信品質が予め定められた第１の所定レベル以下であり、且つ、
前記第３の無線局からの干渉が又は干渉信号の受信品質予め定められた第２の所定レベル以上である場合、
前記無線ネットワーク設定の変更を行わないか、又は、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１６又は１７記載の無線通信方法。
【請求項１９】
前記運用管理サーバでは、前記無線端末から前記第１の無線局を介して送信された測定報告の内容を測定の対象となった隣接セルの種類別に集計し、
隣接セルの受信品質が予め定められた所定値以上である報告が、予め定められた所定数以上の隣接セルがマクロセルの場合、
前記マクロセルの最適化が必要と判断し、
隣接セルの受信品質が前記所定値以上である報告が前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化ために前記無線ネットワーク設定の調整を指示する、ことを特徴とする請求項１６又は１７記載の無線通信方法。
【請求項２０】
無線端末と無線接続する無線局であって、
前記無線端末に対して、前記無線局と同種の第２の無線局及び前記無線局と異種の第３の無線局の少なくとも一方からなる１つ以上の無線局から受ける干渉の測定を指示し、
前記無線端末による測定結果の報告を受け、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた、ことを特徴とする無線局。
【請求項２１】
前記第２の無線局からの干渉又は干渉信号の受信品質が予め定められた第１の所定レベル以下であり、且つ、
前記第３の無線局からの干渉及び干渉信号の受信品質の少なくとも１つが予め定められた第２の所定レベル以上である場合、
前記無線ネットワーク設定の変更を行わないか、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項２０記載の無線局。
【請求項２２】
第１の無線局が、無線端末に対して、前記第１の無線局と同種の第２の無線局及び前記第１の無線局と異種の第３の無線局の少なくとも一方からなる１つ以上の無線局から受ける干渉の測定を指示し、
前記無線端末による測定結果の報告を前記第１の無線局を介して受け取り、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた、ことを特徴とする運用管理サーバ装置。
【請求項２３】
前記第２の無線局からの干渉又は干渉信号の受信品質が予め定められた第１の所定レベル以下であり、且つ、
前記第３の無線局からの干渉又は干渉信号の受信品質が予め定められた第２の所定レベル以上である場合、
前記運用管理サーバ装置は、
前記無線ネットワーク設定の変更を行わないか、
前記第１の無線局と前記第３の無線局との間のセル間干渉の最適化を、前記第１の無線局及び／又は前記第２の無線局におけるカバレッジの最適化よりも優先して実行する、ことを特徴とする請求項２２記載の運用管理サーバ装置。
【請求項２４】
隣接セルの受信品質が予め定められた所定値以上である報告が、予め定められた所定数以上の隣接セルがマクロセルの場合、
前記マクロセルの最適化が必要と判断し、
隣接セルの受信品質が前記所定値以上である報告が前記所定数以上の隣接セルがフェムトセルを含む場合、
フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、請求項２２記載の運用管理サーバ装置。
【発明の詳細な説明】
【技術分野】
【０００１】
（関連出願についての記載）
本発明は、日本国特許出願：特願２０１０−２２４３８９号（２０１０年１０月０１日出願）の優先権主張に基づくものであり、同出願の全記載内容は引用をもって本書に組み込み記載されているものとする。【０００２】
本発明は、通信システムに関し、特に、無線端末側で行われる測定に基づき、カバレッジ、干渉の制御を行うシステムに適用して好適な無線通信システムと方法ならびに装置に関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ  Ｔｅｒｍ  Ｅｖｏｌｕｔｉｏｎ）では、オペレーションコスト（ＯＰＥＸ：Ｏｐｅｒａｔｉｏｎ  Ｅｘｐｅｎｄｉｔｕｒｅ）削減の観点等から、ＳＯＮ（Ｓｅｌｆ  Ｏｒｇａｎｉｚｉｎｇ  Ｎｅｔｗｏｒｋ）の検討が行われている。【０００４】
ＳＯＮには、自己構成（Ｓｅｌｆ−ｃｏｎｆｉｇｕｒａｔｉｏｎ）、自己最適化（Ｓｅｌｆ−ｏｐｔｉｍｉｚａｔｉｏｎ）、自己修復（Ｓｅｌｆ−ｈｅａｌｉｎｇ）等の機能があり、それぞれ異なった目的を達成するための技術が関係部門で検討されている（非特許文献１、２、３）。【０００５】
ＳＯＮの技術は、カバレッジ（セルサイズ）、キャパシティー（容量）、干渉、セルトポロジー、周波数割当、帯域幅等を自動的に、変更、設定、最適化する。【０００６】
これらを実現する為の無線パラメータの例としては、
・無線基地局（ｅＮｏｄｅＢ又はｅＮＢ：ｅｖｏｌｖｅｄ  Ｎｏｄｅ  Ｂ  ｏｒ  ｅｎｈａｎｃｅｄ  Ｎｏｄｅ  Ｂ、あるいは単に「基地局」とも略記される）の送信電力、
・無線基地局のアンテナチルト角、
・隣接セル情報、
・ハンドオーバ・パラメータ
等があり、上述のような目的を達成するように、無線基地局や運用管理サーバ（ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）ｓｅｒｖｅｒ、又は、ＳＯＮ  ｓｅｒｖｅｒ）にて、これら無線パラメータの一つ又は複数を適宜変更する。【０００７】
以下では、まず、カバレッジ最適化に関する関連技術について説明する。図１０は、マクロセル・マクロセル間のカバレッジの最適化の関連技術を説明する図である。図１０において、マクロセルの無線基地局（ｅＮＢ１、ｅＮＢ２）が、運用管理サーバ（ＯＡＭ／ＳＯＮサーバ）に接続されているものとする。ある無線端末（ＵＥ：Ｕｓｅｒ  Ｅｑｕｉｐｍｅｎｔ、「ユーザ装置」ともいう）がマクロセル（Ｃｅｌｌ１）に滞在し、無線基地局１（ｅＮＢ１）と通信を行っているものとする。【０００８】
ｅＮＢ１は、ＵＥに対して、ｅＮＢ１からの下りリファレンス信号（Ｄｏｗｎｌｉｎｋ  Ｒｅｆｅｒｅｎｃｅ  Ｓｉｇｎａｌ：既知信号で「パイロット信号」ともいう）の受信品質や、周辺のセルの無線基地局ｅＮＢ（例えば、無線基地局２（ｅＮＢ２））からの下りリファレンス信号の受信品質を測定し、予め定められた所定条件を満たす場合に報告するように、指示を行う。ｅＮＢ１からの指示に基づき、ＵＥは前記下りリファレンス信号の受信品質の測定を行い、前記下りリファレンス信号の受信品質の測定結果をｅＮＢ１に報告する（Ｍｅａｓｕｒｅｍｅｎｔ  ｒｅｐｏｒｔ）。ｅＮＢ１は、ＵＥから報告された前記測定結果をＯＡＭ／ＳＯＮサーバに報告する（Ｒｅｐｏｒｔ）。図１０の例では、ｅＮＢ２も、同等に配下のＵＥからの測定結果をＯＡＭ／ＳＯＮサーバに報告する。ｅＮＢ１、ｅＮＢ２からの測定結果の報告を受け取ったＯＡＭ／ＳＯＮサーバは、無線カバレッジの最適化のための無線パラメータ等の調節を、ｅＮＢ１、ｅＮＢ２に対して指示する（Ａｄｊｕｓｔｍｅｎｔ  ｆｏｒ  Ｏｐｔｉｍｉｚａｔｉｏｎ）。例えばｅＮＢ１、ｅＮＢ２では、ＯＡＭ／ＳＯＮサーバからの無線カバレッジの最適化のための無線パラメータ等の調節の指示に従って、自セルのカバレッジ最適化（送信電力、アンテナチルト角等の調整）等を実行する。【０００９】
図１１は、非特許文献４に記載の図を引用したものである。図１１のＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の例を用いて、カバレッジ最適化の例を説明する。ここで、無線端末（ＵＥ）が測定する受信品質は希望波電力対干渉波電力比（Ｅｃ／Ｉｏ）とする。無線端末（ＵＥ）でＥｃ／Ｉｏを測定し、測定結果を無線基地局に報告する。基地局あるいはＯＡＭでは、測定結果の統計情報を取得する。基地局あるいはＯＡＭでは、例えば
Ｒ＝（Ｅｃ／Ｉｏが閾値を超えた端末の比率）
を算出する。算出したＲが目標値（Ｔａｒｇｅｔ）よりも大の場合、基地局あるいはＯＡＭは、無線基地局の送信電力を単位ステップダウンさせる。Ｒが目標値（Ｔａｒｇｅｔ）よりも小の場合、基地局あるいはＯＡＭは、無線基地局の送信電力を単位ステップアップさせる。なお、ＬＴＥでは、Ｅｃ／Ｉｏの代わりに、ＲＳＲＱ（Ｒｅｆｅｒｅｎｃｅ  Ｓｉｇｎａｌ  Ｒｅｃｅｉｖｅｄ  Ｑｕａｌｉｔｙ）が用いられることが考えられる。
【先行技術文献】
【非特許文献】
【００１０】
【非特許文献１】３ＧＰＰ  ＴＳ３６．３００  ｖ９．４．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ＞）
【非特許文献２】３ＧＰＰ  ＴＲ３６．９０２  ｖ９．２．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６９０２．ｈｔｍ＞）
【非特許文献３】ＮＧＭＮ  Ｉｎｆｏｒｍａｔｉｖｅ  Ｌｉｓｔ  ｏｆ  ＳＯＮ  Ｕｓｅ  Ｃａｓｅｓ（インターネット＜ｈｔｔｐ：／／ｗｗｗ．ｎｇｍｎ．ｏｒｇ／ｕｐｌｏａｄｓ／ｍｅｄｉａ／ＮＧＭＮ＿Ｉｎｆｏｒｍａｔｉｖｅ＿Ｌｉｓｔ＿ｏｆ＿ＳＯＮ＿Ｕｓｅ＿Ｃａｓｅｓ．ｐｄｆ＞）
【非特許文献４】Ｊａｎｎａ  Ｌａｉｈｏ，Ａｃｈｉｍ  Ｗａｃｋｅｒ，Ｔｏｍａｓ  Ｎｏｖｏｓａｄ，「Ｒａｄｉｏ  Ｎｅｔｗｏｒｋ  Ｐｌａｎｎｉｎｇ  ａｎｄ  Ｏｐｔｉｍｉｓａｔｉｏｎ  ｆｏｒ  ＵＭＴＳ」，Ｊｏｈｎ  Ｗｉｌｅｙ＆Ｓｏｎｓ，ｐｐ．４２２−４２３，  ２００２
【非特許文献５】Ｒ２−１０５２３８  （３ＧＰＰ  ＴＳ３７．３２０  ｖ１．０．０  （２０１０−０８））（インターネット＜ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７１／Ｄｏｃｓ／Ｒ２−１０５２３８．ｚｉｐ＞）
【非特許文献６】Ｒ２−１０３９４２  （インターネット＜ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７０ｂｉｓ／Ｄｏｃｓ／Ｒ２−１０３９４２．ｚｉｐ＞
【非特許文献７】３ＧＰＰ  ＴＳ３６．３０４  ｖ９．３．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６３０４．ｈｔｍ＞）
【非特許文献８】３ＧＰＰ  ＴＲ２１．９０５  ｖ１０．２．０（インターネット＜ｈｔｔｐ：／／ｗｗｗ．３ｇｐｐ．ｏｒｇ／ｆｔｐ／Ｓｐｅｃｓ／ａｒｃｈｉｖｅ／２１＿ｓｅｒｉｅｓ／２１．９０５／２１９０５−ａ２０．ｚｉｐ＞）
【発明の概要】
【発明が解決しようとする課題】
【００１１】
以下に関連技術の分析を与える。【００１２】
フェムト（セル）基地局（「Ｆｅｍｔｏ  ｅＮＢ」、又はホーム基地局（「ＨｅＮＢ」）とも呼ぶ）の導入により、マクロセル間のセル間干渉に加えて、フェムトセルからマクロセルへの干渉が発生する。【００１３】
無線端末（ＵＥ）によるサービングセル（帰属セル）の受信品質の測定時、Ｅｃ／Ｉｏ（ＲＳＲＱ）は、希望信号に対する干渉成分を含めた全電力（Ｅｃ／Ｉｏの場合、干渉となり得る全セルからの信号電力で、ＲＳＲＱの場合は希望信号を含めた全電力）の比で導出されている。【００１４】
その為、マクロ無線基地局（ｅＮＢ）のマクロセルに滞在する無線端末（ＵＥ）が、自マクロセル又は隣接マクロセル内のフェムト基地局からの干渉を強く受ける場合、マクロセル内の受信品質がフェムト基地局の導入前よりも劣化し、ｅＮＢは、不必要に、マクロセルのエリア縮小を行う。【００１５】
この為、マクロセルに不感地（「ｃｏｖｅｒａｇｅ  ｈｏｌｅ」とも呼ぶ）が発生する場合がある。なお、不感地とは、無線端末が無線基地局から基本サービスを受けることができないエリアをいう。【００１６】
図１２は、この問題点を説明するための図である。無線端末（ＵＥ）は、無線基地局１（ｅＮＢ１）のマクロセル１（Ｃｅｌｌ１）に滞在しており、隣接セルは、無線基地局２、３（ｅＮＢ２、３）のセルＣｅｌｌ２、３であり、さらにＣｅｌｌ２内のフェムトセルに近接している。【００１７】
無線端末（ＵＥ）が、隣接マクロセルＣｅｌｌ２内のフェムト基地局（ＨｅＮＢ）からの干渉を強く受ける場合、受信品質が劣化しているという事を、第１の無線基地局（ｅＮＢ１）に報告する（１：Ｍｅａｓ  ｒｅｐｏｒｔ）。【００１８】
無線基地局１（ｅＮＢ１）は、無線端末（ＵＥ）からの報告をＯＡＭ／ＳＯＮサーバに報告する（２：Ｒｅｐｏｒｔ）。【００１９】
ＯＡＭ／ＳＯＮサーバは、無線基地局１（ｅＮＢ１）にセルＣｅｌｌ１のカバレッジを縮小させる（３：Ａｄｊｕｓｔｍｅｎｔ）。【００２０】
すなわち、無線基地局１（ｅＮＢ１）のマクロセル（Ｃｅｌｌ１）に滞在する複数の無線端末（ＵＥ）が、フェムト基地局（ＨｅＮＢ）からの干渉を強く受け、マクロセル内の受信品質が他セル干渉により劣化している事を示す報告件数がフェムト基地局の導入前よりも増加したとする。この場合、無線基地局１（ｅＮＢ１）では、不必要に、マクロセルＣｅｌｌ１のカバレッジの縮小を行うことになる。この結果、カバレッジホール（不感地）が発生する場合がある。【００２１】
したがって、本発明の目的は、干渉要因を識別し、該干渉要因毎に適切な最適化処理を行うことを可能とするシステム、方法、装置を提供することにある。
【課題を解決するための手段】
【００２２】
前記課題を解決するため本発明は、概略以下の構成とされる。【００２３】
本発明の１つの側面によれば、第１の無線局と、前記第１の無線局と同種の第２の無線局及び／又は前記第１の無線局と異種の第３の無線局と、前記第１の無線局に帰属する無線端末と、前記第１乃至第３の無線局とのうちの少なくとも１つと設定情報を交換する運用管理サーバと、を備え、
前記第１の無線局は、前記無線端末に対して１つ以上の前記第２又は前記第３の無線局からの下り信号の受信品質の測定を指示し、
前記無線端末は、前記指示に従い測定を行う測定部を有し、
前記第１の無線局及び前記運用管理サーバの少なくとも１つが、前記無線端末による測定結果の報告を受け、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた無線通信システムが提供される。【００２４】
本発明の他の側面によれば、第１の無線局から無線端末に対して、１つ以上の、前記第１の無線局と同種の第２の無線局及び／又は前記第１の無線局と異種の第３の無線局からの下り信号の受信品質の測定を指示し、
前記無線端末は前記指示に従い測定を行い、
前記第１の無線局及び運用管理サーバの少なくとも１つにより、
前記無線端末による測定結果の報告を受け、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する、無線通信方法が提供される。【００２５】
本発明の他の側面によれば、無線端末と無線接続する無線局であって、
前記無線端末に対して、前記無線局と同種の第２の無線局及び／又は前記無線局と異種の第３の無線局の少なくとも一方からなる１つ以上の無線局からの下り信号の受信品質の測定を指示し、
前記無線端末による測定結果の報告を受け、前記報告から前記無線局の種類を識別して、無線ネットワーク設定の変更の要否の判断、及び、前記無線ネットワーク設定の変更の少なくとも１つを実行する手段を備えた無線局が提供される。【００２６】
本発明の他の側面によれば、第１の無線局が、無線端末に対して、前記第１の無線局と同種の第２の無線局及び前記第１の無線局と異種の第３の無線局の少なくとも１方からなる１つ以上の無線局からの下り信号の受信品質の測定を指示し、前記無線端末による測定結果の報告を前記第１の無線局を介して受け取り、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた運用管理サーバ装置が提供される。
【発明の効果】
【００２７】
本発明によれば、干渉要因毎に、適切な最適化処理を行うことを可能としている。また、本発明によれば、例えばフェムト基地局導入後も不感地の発生を抑制し、さらに、例えばマクロセルのカバレッジ、マクロ−マクロ間又はマクロ−フェムト間の干渉最適化を実現可能としている。
【図面の簡単な説明】
【００２８】
【図１】本発明の第１の実施形態のシーケンス動作を説明する図である。
【図２】本発明の第１の実施形態の構成を説明する図である。
【図３】本発明の第１の実施形態のＯＡＭ／ＳＯＮサーバの動作を説明するフローチャートである。
【図４】本発明の第１の実施形態の変形例１のシーケンス動作を説明する図である。
【図５】本発明の第２の実施形態の変形例２のシーケンス動作を説明する図である。
【図６】本発明の第２の実施形態を説明する図である。
【図７】本発明の第３の実施形態を説明する図である。
【図８】本発明の第４の実施形態のシーケンス動作を説明する図である。
【図９】本発明のカバレッジ最適化・干渉最適化のアルゴリズムの別の例を説明する図である。
【図１０】関連技術のマクロセル間のカバレッジ最適化を模式的に例示する図である。
【図１１】関連技術のマクロセル間のカバレッジ最適化に手順を説明する図である。
【図１２】関連技術のマクロセル間のカバレッジ・干渉最適化の課題を模式的に例示する図である。
【発明を実施するための形態】
【００２９】
本発明の実施形態について、３ＧＰＰ(３ｒｄ  Ｇｅｎｅｒａｔｉｏｎ  Ｐａｒｔｎｅｒｓｈｉｐ  Ｐｒｏｊｅｃｔ)で規定されるセルラシステム（ＵＭＴＳ：Ｕｎｉｖｅｒｓａｌ  Ｍｏｂｉｌｅ  Ｔｅｒｒｅｓｔｒｉａｌ  ＳｙｓｔｅｍやＬＴＥ：Ｌｏｎｇ  Ｔｅｒｍ  Ｅｖｏｌｕｔｉｏｎ）を想定して説明する。本発明の態様の一つにおいては、無線局（無線基地局：ｅＮｏｄｅＢ(ｅＮＢ)や、基地局制御局：ＲＮＣ（Ｒａｄｉｏ  Ｎｅｔｗｏｒｋ  Ｃｏｎｔｒｏｌｌｅｒ）及び運用管理サーバ（例えばＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ））サーバや、ＳＯＮ（（Ｓｅｌｆ  Ｏｒｇａｎｉｚｉｎｇ  Ｎｅｔｗｏｒｋ）サーバ）の少なくとも１つが、無線端末(ＵＥ：Ｕｓｅｒ  Ｅｑｕｉｐｍｅｎｔ)からの測定報告（メジャメントレポート）の情報から、帰属（サービング）セルに対する干渉要因（となる隣接セル）を識別し、無線局及び運用管理サーバの少なくとも１つが、該干渉要因に応じて、最適化処理を実行する。
【００３０】
無線局及び運用管理サーバの少なくとも１つで実行される最適化処理の対象としては、無線ネットワーク設定があり、例えば、
（Ｉ）送信電力やアンテナチルト角、
・システム帯域幅、
・使用（キャリア）周波数、
・セル選択関連パラメータ、
・ハンドオーバ関連パラメータ
等の無線パラメータの設定や、
（ＩＩ）セルの種類（サイズや属性：オープン、クローズド、ハイブリット）
等のネットワーク運用設定、
等が挙げられる。
【００３１】
なお、クローズドセルの代表的な例として、フェムトセル（「ホームセル」とも呼ぶ）のＣＳＧ（Ｃｌｏｓｅｄ  Ｓｕｂｓｃｒｉｂｅｒ  Ｇｒｏｕｐ）セルがある。
【００３２】
一方、干渉要因としては、例えば、
・マクロ基地局／セルからの干渉であるか、
・マイクロ基地局／セルからの干渉であるか、
・ピコ基地局／セルからの干渉であるか、
・中継基地局／セルからの干渉であるか、
・オープン（全無線端末が接続可能）なフェムト基地局／セルからの干渉であるか、
・クローズド（限られた会員（メンバー）のみ接続可能）なフェムト基地局／セルからの干渉であるか、
・ハイブリッドな（オープンとクローズドの両要素を持つ）フェムト基地局／セルからの干渉であるか、
・隣接（ホワイト或いはブラック）セルリスト内の（同種又は異種の）基地局／セルからの干渉であるか、
・隣接（ホワイト或いはブラック）セルリスト外の（同種又は異種の）基地局／セルからの干渉であるか、
等の違いの識別が、無線局及び／又は運用管理サーバで行われる。  
【００３３】
例えば、マクロセルとフェムトセルとが、互いに干渉し合っている状況を想定した場合、マクロセルの無線基地局（無線局）からの干渉と、フェムト基地局からの干渉とを識別し、干渉要因毎に、適切な最適化処理を行うことで、フェムト基地局の導入後も、マクロセル側での、不必要なカバレッジ増減・干渉回避動作の実行を回避可能とし、不感地の発生を抑制することを可能としている。
【００３４】
すなわち、本発明によれば、無線局及び運用管理サーバの少なくとも１つにおいて、フェムト基地局からの干渉を、マクロセル基地局間の干渉と識別し、カバレッジ増減等によるカバレッジ最適化、及び、干渉低減のための干渉回避による干渉最適化の少なくとも１つの方法を決定して実行する。その際、以下に示すように、いくつかのオプションがある。
【００３５】
オプション１（態様１）：
フェムト基地局からの干渉のみが大きい場合には、マクロセル間のカバレッジ最適化や干渉最適化を行わない、あるいは、マクロセル‐フェムトセル間の干渉最適化を、マクロセル間のカバレッジ最適化よりも、優先して行う。
【００３６】
オプション１−１（態様２）：
各隣接セルの受信電力（強度）を基に、セルの種類毎に干渉を算出し、マクロセル基地局からの干渉が予め定められた第１の所定値（所定レベル）未満であり、且つ、フェムト基地局からの干渉が予め定められた第２の所定値（所定レベル）以上である場合、マクロセル間のカバレッジ増減・干渉回避は行わないか、又は、マクロセル‐フェムトセル間の干渉最適化を優先して行う（但し、この干渉最適化は行わなくても良い）。なお、第１と第２の所定値（所定レベル）は同じであってもよく、互いに異なる値（例えば、第１、第２の所定値の間にオフセットを設定）であっていてもよい。
【００３７】
オプション１−２（態様３）：
マクロセル基地局からの干渉又は干渉信号の受信品質が予め定められた第３の所定値（所定レベル）以上であることを示す測定結果の報告が、予め定められた第１の所定数（所定閾値）未満であり、且つ、フェムト基地局からの干渉又は干渉信号の受信品質が予め定められた第４の所定値（所定レベル）以上であることを示す測定結果の報告が、予め定められた第２の所定数（所定閾値）以上である場合には、マクロセル間のカバレッジ増減・干渉回避は行わないか、又は、マクロセル‐フェムトセル間の干渉最適化を優先して行う（但し、この干渉最適化は行わなくても良い）。なお、第３と第４の所定値（所定レベル）、第１と第２の所定数（所定閾値）はそれぞれ同じであっても、互いに異なる値（例えば、第３と第４の所定値の間、第１と第２の所定数の間、それぞれにオフセットを設定）であってもよい。
【００３８】
オプション２（さらに別の態様）：
マクロセル基地局からの干渉とフェムト基地局からの干渉が共に大きい場合、
・マクロセル基地局のカバレッジ増減・干渉回避を優先して実行する。
【００３９】
・マクロセル基地局−フェムト基地局間の干渉回避を優先して実行する。
【００４０】
オプション３（さらに別の態様）：
マクロセル・ピコセル間、マイクロセル・フェムトセル間、ピコセル・フェムトセル間等、干渉し合う無線基地局／セルが異なる種類である他のセル形態の組み合わせに適用する。さらに、中継基地局（Ｒｅｌａｙ  Ｎｏｄｅ：ＲＮ）の場合にも適用可能である。例えば、中継基地局／セルの種類がマクロ、マイクロ、ピコである場合、それぞれマクロ基地局／セル、マイクロ基地局／セル、ピコ基地局／セルと同様に扱う。
【００４１】
一方、中継基地局／セルからの干渉であることを区別して最適化を行うようにしてもよい。例えば、中継基地局／セルからの干渉が強い場合、カバレッジ最適化や干渉回避を行うだけではなく（あるいは、これらカバレッジ最適化や干渉回避を行わずに）、中継基地局と親基地局（ＤｅＮＢ：Ｄｏｎｏｒ  ｅＮｏｄｅ  Ｂ）の間の通信に使用するバックホール（Ｂａｃｋｈａｕｌ）無線リソース設定の最適化を行うようにしてもよい。ＬＴＥでは、中継基地局と親基地局との通信と、中継基地局と配下の無線端末との通信は、時分割で行われる場合があり、バックホール無線リソース設定としては、各通信に割り当てる時間（期間）の設定などがある。
【００４２】
オプション４（さらに別の態様）：
フェムト基地局／セルの種類（オープン、クローズド、ハイブリッド）まで識別し、最適化処理を実行する。例えば、マクロ（又は、マイクロ、ピコ）セルとフェムトセルの干渉問題において、フェムトセルが“オープン（Ｏｐｅｎ）セル”の場合、フェムト基地局／セルを、マイクロ基地局／セルやピコ基地局／セルと同様の扱いとし、前述のようなカバレッジ最適化や干渉回避を実行する。
【００４３】
一方、フェムトセルが“クローズドセル（「ＣＳＧセル」（Ｃｌｏｓｅｄ  Ｓｕｂｓｃｒｉｂｅｒ  Ｇｒｏｕｐ  ｃｅｌｌ）とも呼ぶ）”であり、該クローズドフェムトセルからの干渉が強いと判定した場合には、前述のようなカバレッジ最適化や干渉回避を実行しても良いし、あるいは、クローズドからオープン又はハイブリッドにセルタイプを変更するようにしても良い。また、フェムトセルが“ハイブリッド（Ｈｙｂｒｉｄ）セル”の場合、測定報告（メジャメントレポート）を行った無線端末に対しての属性（メンバーか非メンバーか）を踏まえて、干渉要因を識別し、カバレッジ最適化や干渉回避の最適化処理を実行する。
【００４４】
オプション５（さらに別の態様）：
隣接セルリスト（Ｎｅｉｇｈｂｏｕｒ  Ｃｅｌｌ  Ｌｉｓｔ：ＮＣＬ）に含まれるセルであるか否かを識別し、干渉最適化処理を実行する。このとき、隣接セルリストが接続対象となるセルのリストであるホワイトリスト（Ｗｈｉｔｅ  Ｌｉｓｔ）か（通常の隣接セルリストを含む）、接続対象から除外するセルのリストであるブラックリスト（Ｂｌａｃｋ  ｌｉｓｔ）であるかを考慮する方法を用いてもよい。例えば、干渉となるセルがホワイトリストに含まれるセルの場合、上述した本発明によるカバレッジ最適化や干渉回避、あるいは、関連技術のカバレッジ最適化や干渉回避を行う。
【００４５】
干渉となるセルがホワイトリストに含まれないセルの場合、該セル（ホワイトリストに含まれない、干渉となるセル）に関する無線端末からの測定報告は考慮せずに、カバレッジ最適化や干渉回避を行い、該セルについては、該セルを隣接セルリストに含めるべきか否か等の判定を行う。例えば、３ＧＰＰで検討されている隣接リストの最適化の為のＡＮＲ機能（Ａｕｔｏｍａｔｉｃ  Ｎｅｉｇｈｂｏｕｒ  Ｒｅｌａｔｉｏｎ  Ｆｕｎｃｔｉｏｎ）を用いるようにしてもよい。ＡＮＲ機能は、例えば、無線基地局が認識していない周辺のセルの存在を無線端末に報告させる機能を持ち、これにより、隣接セルリストの自動最適化を実行する事ができる。
【００４６】
一方、干渉となるセルがブラックリストのセルである場合、カバレッジ最適化や干渉回避の他に、該セル（ブラックリストに含まれ、干渉となるセル）をブラックリストから除外するようにしてもよい。ここで、無線端末は、基本的に、ブラックリストセルの下り信号の受信品質の測定を行わない。しかしながら、例えば、カバレッジホール等のカバレッジ問題を検出した場合（あるいは、それを検出する前段階で）、ブラックリストセルの下り信号の受信品質の測定を行ようにしてもよい。これにより上述の処理が実行できる。
【００４７】
なお、本発明における最適化技術としては、上述のカバレッジ最適化や干渉回避（干渉最適化）に限定はされず、
・無線端末の移動性最適化（Ｍｏｂｉｌｉｔｙ  Ｏｐｔｉｍｉｚａｔｉｏｎ、又は、Ｍｏｂｉｌｉｔｙ  Ｒｏｂｕｓｔｎｅｓｓ  Ｏｐｔｉｍｉｚａｔｉｏｎと呼ばれる）、
・無線端末の負荷分散（Ｌｏａｄ  Ｂａｌａｎｃｉｎｇ、又は、Ｍｏｂｉｌｉｔｙ  Ｌｏａｄ  Ｂａｌａｎｃｉｎｇ）、
・無線（セル）容量最適化（Ｃａｐａｃｉｔｙ  Ｏｐｔｉｍｉｚａｔｉｏｎ）、
等、他のＳＯＮ技術の実行判定にも適用可能である。
【００４８】
＜実施形態１＞
図１は、本発明の第１の実施形態のシステムのシーケンス動作を説明する図である。図１に示すように、無線端末ＵＥ１〜ＵＥｎと、マクロ基地局ｅＮＢ１、ｅＮＢ２、フェムト基地局ＨｅＮＢ（Ｆｅｍｔｏ  ｅＮＢ：「ＦｅＮＢ」とも呼ぶ）、ＯＡＭ／ＳＯＮサーバを備えている。
【００４９】
マクロ基地局ｅＮＢ１は、配下のＵＥ１〜ＵＥｎに対して測定を指示するメッセージ（Ｍｅａｓｕｒｅｍｅｎｔ  Ｃｏｎｆｉｇｕｒａｒｔｉｏｎ）をそれぞれ送信する（Ｓ１、Ｓ２）。該メッセージ（Ｍｅａｓｕｒｅｍｅｎｔ  Ｃｏｎｆｉｇｕｒａｒｔｉｏｎ）には、測定項目（受信品質、測定場所、測定タイミング等）、測定対象セル、測定の態様（周期的、あるいは、ある特定のイベント発生時（イベントトリガ））、測定報告内容等が指定される。
【００５０】
基地局ｅＮＢ１から測定を指示するメッセージ（Ｍｅａｓｕｒｅｍｅｎｔ  Ｃｏｎｆｉｇｕｒａｒｔｉｏｎ）をそれぞれ受信したＵＥ１〜ＵＥｎは、前記指示の内容にしたがって、測定を行い（Ｓ３、Ｓ４：Ｍｅａｓｕｒｅｍｅｎｔ）、測定結果をｅＮＢ１に報告する（Ｓ５、Ｓ６：Ｍｅａｓｕｒｅｍｅｎｔ  ｒｅｐｏｒｔ）。
【００５１】
ｅＮＢ１は、ＵＥ１〜ＵＥｎからの測定結果の報告を受け、ＯＡＭ／ＳＯＮサーバに報告する（Ｓ７：Ｒｅｐｏｒｔ）。
【００５２】
ＯＡＭ／ＳＯＮサーバでは、該測定報告をフィルタリングし（Ｓ８：Ｍｅａｓｕｒｅｍｅｎｔ  ｒｅｐｏｒｔ  ｆｉｌｔｅｒｉｎｇ）、カバレッジ・干渉の最適化処理を決定する（Ｓ９：Ｏｐｔｉｍｉｚａｔｉｏｎ  ｐｒｏｃｅｓｓ  ｄｅｃｉｓｉｏｎ）。
【００５３】
ＯＡＭ／ＳＯＮサーバは、ｅＮＢ１に対してカバレッジ最適化や干渉回避（最適化）のための無線パラメータの調節等を指示する（Ｓ１０：Ａｄｊｕｓｔ  ｆｏｒ  ｏｐｔｉｍｉｚａｔｉｏｎ）。
【００５４】
ｅＮＢ１は、ＯＡＭ／ＳＯＮサーバからの指示を受け、カバレッジ最適化や干渉最適化などの最適化処理を行う（Ｓ１１：Ｏｐｔｉｍｉｚａｔｉｏｎ）。
【００５５】
また、ＯＡＭ／ＳＯＮサーバは、必要な場合、ＨｅＮＢ、ｅＮＢ２にカバレッジ最適化や干渉最適化のための無線パラメータの調節を指示する（Ｓ１２、Ｓ１３：Ａｄｊｕｓｔ  ｆｏｒ  ｏｐｔｉｍｉｚａｔｉｏｎ）。
【００５６】
ＨｅＮＢ、ｅＮＢ２は、それぞれ、ＯＡＭ／ＳＯＮサーバからの指示を受け、無線パラメータの最適化を行う（Ｓ１４、Ｓ１５：Ｏｐｔｉｍｉｚａｔｉｏｎ）。
【００５７】
なお、ｅＮＢ等で行われる調節（Ａｄｊｕｓｔｍｅｎｔ）は、無線ネットワーク設定であって、これは、無線パラメータに限らず、上述したように、ネットワーク運用設定も含まれる。
【００５８】
＜システム構成＞
図２は、本発明の第１の実施形態における無線端末（ＵＥ）、基地局／基地局制御局、ＯＡＭ／ＳＯＮサーバにおいて、本発明に関連するシステム構成の要部をブロック構成にて示す図である。なお、図２の構成は、後述する第２の実施形態以降の各実施形態にも適用される。図２を参照すると、無線端末１０は、基地局２０から無線により送信される測定指示のメッセージを取得する測定指示取得部１１と、測定指示取得部１１からの測定指示を受け、セルの品質等を測定する測定実施部１２と、測定結果を基地局２０に無線で報告する測定結果報告部１３を備えている。無線端末１０には、図示されない無線部、ベースバンド部を備えている。
【００５９】
また、電源オン時の初期セルサーチのほか、通信中、待ち受け中、間欠受信時等において同期信号等に基づき、無線端末にとって品質が良好であるセル等、適切なセルのサーチを行うセル検出部（不図示）、
無線リンクの接続確立、接続維持、解放等の回線制御、さらに、アイドル状態／アクティブ状態の管理、各部の制御を行う制御部（不図示）を備えている。
【００６０】
基地局２０は、無線端末１０に対して測定指示を行う測定指示部２１と、測定指示部２１からの測定指示を受け、無線端末１０からの測定結果を取得する測定結果取得部２２と、測定結果をＯＡＭ／ＳＯＮサーバ３０に報告する測定結果報告部２３と、基地局２０の設定変更（送信アンテナのチルト角、送信電力）の無線パラメータ設定変更部２４を備えている。
【００６１】
ＯＡＭ／ＳＯＮサーバ３０（運用管理サーバ）は、基地局２０の測定結果報告部２３から測定結果を受け取る測定結果取得部３１と、無線パラメータ設定指示部３３を備えている。無線パラメータ設定指示部３３は、無線パラメータ設定指示を基地局２０に対して行う。
【００６２】
カバレッジ最適化や干渉最適化（干渉回避・低減）は、セルのカバレッジ増減（拡大・縮小）、又は、セル間の干渉回避あるいは、セルのカバレッジ増減とセル間の干渉回避の両方により実現できる。
【００６３】
カバレッジ増減は、無線基地局において、
・下りリファレンス信号（パイロット信号）等の送信電力の増減、
・アンテナチルト角の増減
等により行われる。
【００６４】
また、セル選択・ハンドオーバに関連する無線パラメータ（セル個別オフセット値、イベント固有オフセット値、プライオリティ等）の制御によるセルの勢力範囲の調整によって、擬似的にカバレッジを増減することができる。
【００６５】
干渉回避は、無線基地局において、
・無線リソースの使用制限、
・送信電力制御
等で実行する。
【００６６】
ここで、無線リソースの使用制限としては、例えば、
干渉し合う複数の無線基地局間で時間及び／又は周波数リソースを分けて使用する、
等の手法が用いられる。
【００６７】
また、送信電力制御としては、例えば、
無線基地局間での干渉量を基に、データ信号の送信電力を決定する（制限をする）
等の手法が用いられる。
【００６８】
どちらも、ある無線基地局が単独で行っても良いし、複数の無線基地局が協調して（同時に）行っても良い。
【００６９】
また、カバレッジ最適化や干渉最適化の実行の判断は、無線基地局で行ってもよいし、あるいは、運用管理サーバ（ＯＡＭ／ＳＯＮサーバ）で行うようにしてもよい。
【００７０】
＜カバレッジ最適化・干渉最適化のアルゴリズム＞
カバレッジ最適化や干渉最適化のアルゴリズムの例として、あるマクロセル基地局のあるサービングセル（帰属セル）に注目した場合を以下に説明する。
【００７１】
ステップ１：
無線端末からの測定報告（ｍｅａｓｕｒｅｍｅｎｔ  ｒｅｐｏｒｔ）の内容を、測定の対象となった隣接セルの種類別に分類して集計する（マクロセルか、フェムトセルか、等）（ｍｅａｓｕｒｅｍｅｎｔ  ｒｅｐｏｒｔ  ｆｉｌｔｅｒｉｎｇ）。マクロセルか、フェムトセルか等は、報告に含まれる測定対象セルのセルＩＤ（例えば、セルの物理セルＩＤ（ＰＣＩ：Ｐｈｙｓｉｃａｌ  Ｃｅｌｌ  ＩＤ）、又は、各セルを識別するためのプライマリ・スクランブル・コード（ＰＳＣ））等で判別される。
【００７２】
ステップ２：
隣接セルの種類（マクロセルか、フェムトセルか等）別に、隣接セルの通信路品質（下り信号の受信品質）（Ｒｅｆｅｒｅｎｃｅ  Ｓｉｇｎａｌ  Ｒｅｃｅｉｖｅｄ  Ｐｏｗｅｒ：ＲＳＲＰや、Ｒｅｆｅｒｅｎｃｅ  Ｓｉｇｎａｌ  Ｒｅｃｅｉｖｅｄ  Ｑｕａｌｉｔｙ：ＲＳＲＱ等）が予め定められた所定値（所定レベル）以上である報告が、予め定められた所定数（所定閾値）（又は全体に対して所定割合）以上あるか否かを判定し、
前記所定数以上の場合、ステップ３の最適化処理を行い、
前記所定数未満の場合、ステップ１に戻る。
【００７３】
ステップ３：
隣接セルの種類がマクロセルである場合には、カバレッジ最適化（カバレッジ増減、セル選択・ハンドオーバ関連の無線パラメータ変更）を実行し、
隣接セルの種類がフェムトセルである場合には、マクロ−フェムト間の干渉最適化（干渉回避）を実行する。
【００７４】
なお、どのセルが、カバレッジ・干渉最適化の対象となるかを判別するにあたり、例えば、ステップ２の条件を満たすセルが、特定の隣接セル・ペア（サービングセルと隣接セルの組み合わせ）に偏っているか否かを判定する。
・上記判定の結果、偏りがない場合、サービングセル（ＵＥが帰属するセル）のみで、カバレッジ・干渉最適化を実行する。
・上記判定の結果、特定の隣接セルペアに偏っている場合、当該特定の隣接セルペアのそれぞれでカバレッジ・干渉最適化を実行する。
【００７５】
図３は、本発明の第１の実施形態のＯＡＭ／ＳＯＮサーバの動作を示す流れ図（フローチャート）である。なお、図３の処理は、ＯＡＭサーバ又はＳＯＮサーバで行われる。
【００７６】
ＯＡＭ／ＳＯＮサーバは、測定報告を受信する（ステップＳ１０１：Ｒｅｃｅｉｖｅ  ｍｅａｓｕｒｅｍｅｎｔ  ｒｅｐｏｒｔｓ）。
【００７７】
ＯＡＭ／ＳＯＮサーバは、報告に含まれる測定の対象がマクロセル又はフェムトセルか判定し（ステップＳ１０２）、マクロセル、フェムトセルとに分けて、測定結果を記録する（ステップＳ１０３、Ｓ１０４：Ｓｔｏｒｅ  ｍｅａｓ  ｒｅｓｕｌｔｓ  ｆｏｒ  Ｍａｃｒｏ（Ｆｅｍｔｏ）  ｃｅｌｌ）。すなわち、ＯＡＭ／ＳＯＮサーバは、無線端末から無線基地局を介して送信された測定報告の内容を、測定の対象となった隣接セルの種類別に集計する（マクロセルか、フェムトセルか）。
【００７８】
ＯＡＭ／ＳＯＮサーバは、マクロセルの最適化が必要であると判断すると（ステップＳ１０５：Ａｎｙ  Ｏｐｔｉｍｉｚａｔｉｏｎ  ｆｏｒ  ＭａｃｒｏのＹ）、マクロ基地局ｅＮＢに対して、最適化の調整を指示する（ステップＳ１０６：Ｉｎｄｉｃａｔｅ  ａｄｊｕｓｔｍｅｎｔ  ｆｏｒ  ｏｐｔｉｍｉｚａｔｉｏｎ  ｔｏ  Ｍａｃｒｏ  ｅＮＢ）。
【００７９】
一方、ＯＡＭ／ＳＯＮサーバは、フェムトセルの最適化が必要であると判断すると（Ｓ１０７：Ａｎｙ  Ｏｐｔｉｍｉｚａｔｉｏｎ  ｆｏｒ  ＦｅｍｔｏのＹ）、フェムト基地局ＨｅＮＢに対して最適化の調整を指示する（ステップＳ１０８：Ｉｎｄｉｃａｔｅ  ａｄｊｕｓｔｍｅｎｔ  ｆｏｒ  ｏｐｔｉｍｉｚａｔｉｏｎ  ｔｏ  ＨｅＮＢ）。
【００８０】
＜実施形態１：変形例１＞
図４は、本発明の第１の実施形態の変形例１を説明する図である。なお、図４において、Ｓ１からＳ６のシーケンスは、図１と同一であるため、説明を省略する。
【００８１】
ｅＮＢ１は、ＵＥ１〜ＵＥｎからの測定報告を受けると、測定報告のフィルタリング（マクロセルか、フェムトセルか、等）を行って、マクロセル、フェムトセルの報告別に分類する（Ｓ８’：Ｍｅａｓｕｅｍｅｎｔ  ｒｅｐｏｒｔ  ｆｉｌｔｅｒｉｎｇ）。
【００８２】
ｅＮＢ１は分類した報告をＯＡＭ／ＳＯＮサーバに送信する（Ｓ７：Ｒｅｐｏｒｔ）。
【００８３】
ＯＡＭ／ＳＯＮサーバはカバレッジ・干渉最適化処理を決定する（Ｓ９：Ｏｐｔｉｍｉｚａｔｉｏｎ  ｐｒｏｃｅｓｓ  ｄｅｃｉｓｉｏｎ）。
【００８４】
ＯＡＭ／ＳＯＮサーバはｅＮＢ１にカバレッジ・干渉最適化のための無線パラメータの調節を指示する（Ｓ１０：Ａｄｊｕｓｔ  ｆｏｒ  ｏｐｔｉｍｉｚａｔｉｏｎ）。
【００８５】
ｅＮＢ１は、ＯＡＭ／ＳＯＮサーバからの指示を受け、無線パラメータの最適化を行う（Ｓ１１：Ｏｐｔｉｍｉｚａｔｉｏｎ）。
【００８６】
また、ＯＡＭ／ＳＯＮサーバは、必要な場合、ＨｅＮＢとｅＮＢ２に対して、カバレッジ・干渉最適化のための無線パラメータの調節を指示する（Ｓ１２、Ｓ１３：Ａｄｊｕｓｔ  ｆｏｒ  ｏｐｔｉｍｉｚａｔｉｏｎ）。ＨｅＮＢとｅＮＢ２は、それぞれＯＡＭ／ＳＯＮサーバからの指示を受け、無線パラメータの最適化を行う（Ｓ１４、Ｓ１５：Ｏｐｔｉｍｉｚａｔｉｏｎ）。なお、最適化のために調節するのは、無線パラメータに限らず、無線ネットワーク設定のいずれであっても良い。
【００８７】
＜実施形態１：変形例２＞
図５は、本発明の第１の実施形態の変形例２を説明する図である。図５において、Ｓ１からＳ６のシーケンスは、図１と同一であるため、説明を省略する。
【００８８】
ｅＮＢ１は、ＵＥ１〜ＵＥｎからの測定報告を受けると、測定報告のフィルタリング（マクロセルか、フェムトセルか、等）を行って、マクロセル、フェムトセルの報告別に分類し（Ｓ８’：Ｍｅａｓｕｒｅｍｎｔ  ｒｅｐｏｒｔ  ｆｉｌｔｅｒｉｎｇ）、カバレッジ・干渉の最適化処理を決定し（Ｓ９’：Ｏｐｔｉｍｉｚａｔｉｏｎ  ｐｒｏｃｅｓｓ  ｄｅｃｉｓｉｏｎ）、自セルの最適化を実行し（Ｓ１１’：Ｏｐｔｉｍｉｚａｔｉｏｎ）、最適化実行報告を、ＯＡＭ／ＳＯＮサーバに送信する（Ｓ７’：Ｏｐｔｉｍｉｚａｔｉｏｎ  ｅｘｅｃｕｔｉｏｎ  ｒｅｐｏｒｔ）。
【００８９】
この報告を受け、ＯＡＭ／ＳＯＮサーバは、隣接セルにおける最適化処理を決定する（Ｓ９”）。最適化処理が必要な場合、ＯＡＭ／ＳＯＮサーバは、ＨｅＮＢとｅＮＢ２に対してそれぞれ、カバレッジ・干渉最適化のための無線パラメータの調節を指示する（Ｓ１２、Ｓ１３：Ａｄｊｕｓｔ  ｆｏｒ  ｏｐｔｉｍｉｚａｔｉｏｎ）。ＨｅＮＢとｅＮＢ２はＡＭ／ＳＯＮサーバからの指示を受け、無線パラメータの最適化を行う（Ｓ１４、Ｓ１５：Ｏｐｔｉｍｉｚａｔｉｏｎ）。なお、最適化のために調節が行われる対象は、無線パラメータに限らず、無線パラメータと無線ネットワーク設定のいずれであっても良い。
【００９０】
＜実施形態２＞
本発明の第２の実施形態を説明する。図６は、本発明の第２の実施形態を説明する図である。本実施形態では、各隣接セルの受信電力（ＲＳＲＰ）を基に、セルの種類毎に干渉を算出し、フェムト基地局からの干渉は予め定められた第２の所定値（レベル）以上であるが、マクロセル基地局からの干渉が予め定められた第１の所定値（レベル）未満である場合、マクロセル間のカバレッジ最適化（カバレッジ増減、セル選択・ハンドオーバ関連パラメータ等の無線パラメータ変更）、干渉最適化（干渉低減・回避）は行わない。第１、第２の所定値は同じでも良いし、第１、第２の所定値の間にオフセットを設定してもよい。例として、マクロセルの観点から見た最適化の手順について以下に示す。
【００９１】
まず、測定報告を行った無線端末のサービングセルのマクロセルの下りリンクのリファレンス信号（パイロット信号）の受信電力ＲＳＲＰ、隣接セル毎の下りリンクのリファレンス信号（パイロット信号）の受信電力ＲＳＲＰを集計する。予め定められた所定期間毎に、集計結果を平均化してもよいし、最適化処理を行う度にリセットしても良い。
【００９２】
次に、隣接セル毎に干渉（ＩＳＳＩ：Ｉｎｔｅｒｆｅｒｅｎｃｅ  Ｓｉｇｎａｌ  Ｓｔｒｅｎｇｔｈ  Ｉｎｄｉｃａｔｏｒ：干渉信号強度指標、あるいは干渉波電力という）等を算出する。なお、予め定められた所定期間毎に、干渉を平均化してもよい。ＬＴＥの下りリンクリファレンス信号（共通パイロット信号）のＲＳＲＰ、ＩＳＳＩの算出については公知の手法が用いられる。
【００９３】
マクロセルである隣接セルからの干渉が予め定められた第１の所定値以上の場合、マクロセル間のカバレッジ最適化（カバレッジ増減や、セル選択・ハンドオーバ関連の無線パラメータ変更）、干渉最適化（干渉低減・回避）、などの最適化を行う。
【００９４】
フェムトセルである隣接セルからの干渉が予め定められた第２の所定値以上の場合だが、マクロセルである隣接セルからの干渉が予め定められた第１の所定値未満の場合、マクロセル間のカバレッジ最適化、干渉最適化などの最適化を行わない。
【００９５】
より具体的には、例えば、マクロセルＣｅｌｌ１に滞在するＵＥにおける、各隣接セルＣｅｌｌ２、Ｃｅｌｌ３、フェムトセルＣｅｌｌ０１、Ｃｅｌｌ０２からの受信電力（ＲＳＲＰ）を基に、セルの種類毎に干渉（ＩＳＳＩ等）を算出する。フェムトセルＣｅｌｌ０１又はＣｅｌｌ０２のフェムト基地局ＨｅＮＢ１又はＨｅＮＢ２からの干渉ＩＳＳＩが予め定められた所定値以上であっても、マクロセルＣｅｌｌ２、Ｃｅｌｌ３の基地局ｅＮＢ２、ｅＮＢ３からの干渉（ＩＳＳＩ）が予め定められた所定値未満である場合、マクロセル間のカバレッジ増減・干渉回避は行わない。マクロセルＣｅｌｌ２、Ｃｅｌｌ３の基地局ｅＮＢ２、ｅＮＢ３からの干渉（ＩＳＳＩ）が予め定められた所定値以上の場合、マクロセル間のカバレッジ増減・干渉回避は行う。
【００９６】
＜実施形態３＞
次に本発明の第３の実施形態を説明する。本実施形態では、フェムト基地局からの干渉信号の受信品質が予め定められた所定値以上である報告が、予め定められた所定数以上あり、且つ、マクロ基地局からの干渉信号の受信品質が予め定められた所定値以上である報告が、前記所定数未満である場合には、マクロセル間のカバレッジ増減・干渉回避は行わない。なお、所定期間内の同一無線端末からの報告は１つの報告として扱う。また、フェムト基地局からの干渉信号の受信品質が所定値以上である報告の代わりに、フェムト基地局からの干渉により受信品質が予め定められた所定値未満である報告を、マクロ基地局からの干渉信号の受信品質が所定値以上である報告の代わりに、マクロ基地局からの干渉により受信品質が予め定められた所定値未満である報告を、それぞれ用いても良い。
【００９７】
本実施形態では、カウンタをソースセル（測定を行うＵＥの滞在するセル）と隣接セルのペア毎に設定する。図７（Ａ）、（Ｂ）は、本発明の第３の実施形態を説明する図である。図７（Ａ）は、本実施形態における管理テーブルの一例を模式的に示す図であり、図７（Ｂ）のセル構成に対応している。なお、図７（Ａ）では、マクロセルのみソースセルとしている。ソースセルがマクロセルＣｅｌｌ１の場合、その隣接セルとしてマクロセルＣｅｌｌ２、Ｃｅｌｌ３、フェムトセルＣｅｌｌ０１、Ｃｅｌｌ０２のカウンタが設定される。ソースセルがマクロセルＣｅｌｌ２の場合、隣接マクロセルＣｅｌｌ１、Ｃｅｌｌ３、フェムトセルＣｅｌｌ０１、Ｃｅｌｌ０２のカウンタが設定される。ソースセルがマクロセルＣｅｌｌ３の場合、隣接マクロセルＣｅｌｌ１、Ｃｅｌｌ２、フェムトセルＣｅｌｌ０１、Ｃｅｌｌ０２のカウンタが設定される。フェムトセルもソースとしてカウンタを設定しても良い。
【００９８】
ＲＳＲＱ（ＲＳＲＰ）が予め定められた所定値以上の値が報告された場合、該等セルのカウンタ（該等セルの報告件数）をインクリメントする。例えばソースセルＣｅｌｌ１において、隣接マクロセルＣｅｌｌ２からの干渉信号の受信品質が予め定められた所定値以上である報告が、Ｎ件報告された場合、図７（Ａ）のカウンタＮｍ１２の値を＋Ｎ増やす。
【００９９】
隣接マクロセルのカウンタ値（Ｎｍｘｘ）が予め定められた所定値以上の場合には、マクロセルのカバレッジ最適化や干渉最適化などの最適化を行う。
【０１００】
隣接フェムトセルのカウンタ値（Ｎｆｘｘ）が予め定められた所定値以上でも、隣接マクロセルのカウンタ値（Ｎｍｘｘ）が予め定められた所定値未満の場合には、マクロのカバレッジ最適化や、干渉最適化などの最適化は行わない。この場合、マクロ−フェムト間で干渉最適化を行ったり、フェムトセルのカバレッジ最適化等を行うようにしても良い。
【０１０１】
＜実施形態４＞
本発明の第４の実施形態について説明する。本実施形態では、非特許文献５の仕様に規定されている、無線端末（ＵＥ）がアイドル状態（ＩＤＬＥ  ｍｏｄｅ）の間に測定させ、アクティブ（Ａｃｔｉｖｅ）状態の間に、無線ネットワークに測定結果を報告させる方式（Ｌｏｇｇｅｄ  ＭＤＴ（Ｍｉｎｉｍｉｚａｔｉｏｎ  Ｄｒｉｖｅ  Ｔｅｓｔ））を想定する。なお、同様に非特許文献５の仕様に規定されている、無線端末がアクティブ（Ａｃｔｉｖｅ）状態の間に、無線端末に測定および測定結果の報告を行わせる方式（Ｉｍｍｅｄｉａｔｅ  ＭＤＴ）については、上述の実施形態に適応可能である。
【０１０２】
アイドル状態（ＩＤＬＥ  ｍｏｄｅ）とは、無線端末（ＵＥ）が、待受状態等、電源オン状態であるが、無線資源制御（Ｒａｄｉｏ  Ｒｅｓｏｕｒｃｅ  Ｃｏｎｔｒｏｌ：ＲＲＣ）接続を確立していない状態をいう（非特許文献８）。ＬＴＥにおけるＲＲＣ＿ＩＤＬＥ（Ｒａｄｉｏ  Ｒｅｓｏｕｒｃｅ  Ｃｏｎｔｒｏｌ  ＩＤＬＥ；無線資源制御アイドル）と、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）におけるアイドル（ＵＴＲＡＮ  ＩＤＬＥ）を指示する。なお、無線端末（ＵＥ）がアイドル状態のときは、該無線端末（ＵＥ）がどのセルに在圏しているかは、無線ネットワーク側では管理せず、どのトラッキングエリア（Ｔｒａｃｋｉｎｇ  Ａｒｅａ：ＴＡ）、ロケーションエリア（Ｌｏｃａｔｉｏｎ  Ａｒｅａ：ＬＡ）、ルーティングエリア（Ｒｏｕｔｉｎｇ  Ａｒｅａ：ＲＡ）に属するかが無線ネットワーク側で管理される。またトラッキングエリアは、ＭＭＥ（Ｍｏｂｉｌｉｔｙ  Ｍａｎａｇｅｍｅｎｔ  Ｅｎｔｉｔｙ）等により管理される。
【０１０３】
アクティブ状態（Ａｃｔｉｖｅ  ｍｏｄｅ）は、ＬＴＥにおけるＲＲＣ＿ＣＯＮＮＥＣＴＥＤと、ＵＭＴＳにおけるＣＥＬＬ＿ＤＣＨを指示する。ＣＥＬＬ＿ＤＣＨは、上り、下りリンクで専用物理チャネルが無線端末（ＵＥ）に割当てられたＲＲＣ状態であり、無線端末（ＵＥ）と無線基地局が個別チャネルで接続され送受信を行う。
【０１０４】
Ｌｏｇｇｅｄ  ＭＤＴにおいて、アイドル状態で無線端末（ＵＥ）が測定する内容には、
・帰属セル（Ｓｅｒｖｉｎｇ  ｃｅｌｌ）の下りパイロット信号（リファレンス信号）の受信品質、
・周辺（隣接）セル（Ｎｅｉｇｈｂｏｕｒｉｎｇ  ｃｅｌｌ）の下りパイロット信号（リファレンス信号）の受信品質、
等がある。すなわち、無線端末（ＵＥ）は、上記セルの基地局からの下りリファレンス信号（パイロット信号）の受信品質を測定する。なお、ＬＴＥでは、受信品質として、
・ＲＳＲＰ（Ｒｅｆｅｒｅｎｃｅ  Ｓｉｇｎａｌ Ｒｅｃｅｉｖｅｄ  Ｐｏｗｅｒ：下りリンクの希望リファレンス信号の受信電力）、
・ＲＳＲＱ（Ｒｅｆｅｒｅｎｃｅ  Ｓｉｇｎａｌ  Ｒｅｃｅｉｖｅｄ  Ｑｕａｌｉｔｙ：下りリンクの希望リファレンス信号の受信電力を下りリンクの全受信電力で割った値）
等が用いられる。ＲＳＳＩは無線端末の全体の受信電力である。
【０１０５】
Ｌｏｇｇｅｄ  ＭＤＴにおいて、無線端末（ＵＥ）が無線ネットワーク側に報告する内容には、
・帰属（サービング）セルの識別子（ＥＣＧＩ：Ｅ−ＵＴＲＡＮ  Ｃｅｌｌ  Ｇｌｏｂａｌ  Ｉｄｅｎｔｉｆｉｅｒ）および下りパイロット信号の受信品質(ＲＳＲＰ、ＲＳＲＱ)、
・周辺（隣接）セルの下りパイロット信号の受信品質、
・測定時刻（無線端末（ＵＥ）が測定指示を受けた時刻からの相対時刻）、
・位置情報（測定時に保有していた有効なＧＮＳＳ（Ｇｌｏｂａｌ  Ｎａｖｉｇａｔｉｏｎ  Ｓａｔｅｌｌｉｔｅ  Ｓｙｓｔｅｍ：全地球航法衛星システム）位置情報）
等がある。ここで、無線端末での測定時刻が、当該無線端末でのＧＮＳＳ位置情報の取得時刻から予め定められた所定時間以内である場合に、無線端末は、該ＧＮＳＳ位置情報が「有効」であるものと判定する。無線端末（ＵＥ）が有効なＧＮＳＳ位置情報を保有していない場合には、その位置情報として、ＧＮＳＳ位置情報の代わりに、
ＰＣＩ（Ｐｈｙｓｉｃａｌ  Ｃｅｌｌ  Ｉｄｅｎｔｉｆｉｅｒ）／ＰＳＣ（Ｐｒｉｍａｙｒ  Ｓｃｒａｍｂｌｉｎｇ  Ｃｏｄｅ）＋ＲＳＲＰ／ＣＰＩＣＨ  ＲＳＣＰ（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ）（周辺（隣接）セルの物理セル特定情報＋周辺（隣接）セルの下りパイロット信号の受信品質）を報告する。
【０１０６】
（Ｅ−）ＵＴＲＡＮの無線基地局／基地局制御局（（ｅ）ＮｏｄｅＢ／ＲＮＣ）は、アクティブ状態の無線端末（ＵＥ）に対して、アイドル状態で測定、及び測定結果の記録（ロギング）を実行するように指示する。すなわち、無線ネットワークは、アイドル状態（Ｉｄｌｅ  ｍｏｄｅ）で行われるＬｏｇｇｅｄ  ＭＤＴのコンフィギュレーション・パラメータを転送するため、アイドルＭＤＴコンフィギュレーション（Ｉｄｌｅ  ＭＤＴ  Ｃｏｎｆｉｇｕｒａｔｉｏｎ）メッセージを、無線端末（ＵＥ）に送信することで、Ｌｏｇｇｅｄ  ＭＤＴの手順を開始する。
【０１０７】
無線端末（ＵＥ）は、アクティブ状態からアイドル状態に遷移した後、無線ネットワーク（(Ｅ−)ＵＴＲＡＮ）からの指示にしたがって、アイドル状態での測定、及びロギングを実行する。ここで、測定の対象となるセルは、通常のアイドル状態のＵＥと基本的に同じである。すなわち、Ｌｏｇｇｅｄ  ＭＤＴでの測定は、３ＧＰＰ  ＴＳ  ２５．１３３、ＴＳ  ３６．１３３等に規定される無線端末（ＵＥ）のアイドルモード測定の原理に従う。測定対象は、サービングセルに加え、
・隣接セルリスト（Ｎｅｉｇｈｂｏｕｒ  ｃｅｌｌ  ｌｉｓｔ）に含まれるセルと、
・ＵＥが検出した隣接セルリスト以外のセル（ｄｅｔｅｃｔｅｄ  ｃｅｌｌ）
である。
【０１０８】
無線端末（ＵＥ）がカバレッジホールに滞在した場合には、帰属セル（ｓｅｒｖｉｎｇ  ｃｅｌｌ）や隣接セル（ｎｅｉｇｈｂｏｕｒ  ｃｅｌｌ）の測定結果をロギングする代わりに、“Ｏｕｔ  Ｏｆ  Ｓｅｒｖｉｃｅ”（ＯＯＳ）（圏外）とロギングする事が検討されている（非特許文献６）。一方、カバレッジホールに滞在した場合、特定の期間（例えば、端末が“ｃａｍｐｅｄ  ｎｏｒｍａｌｌｙ”  ｓｔａｔｅでいる間）にのみ、ＭＤＴ  ｍｅａｓｕｒｅｍｅｎｔ、Ｌｏｇｇｉｎｇを継続する。特定の期間が経過後（例えば、端末が“ａｎｙ  ｃｅｌｌ  ｓｅｌｅｃｔｉｏｎ”、又は“ｃａｍｐｅｄ  ｏｎ  ａｎｙ  ｃｅｌｌ”ｓｔａｔｅでいる間）も、依然として、カバレッジホールに滞在する場合には、ＭＤＴ  ｍｅａｓｕｒｅｍｅｎｔ、Ｌｏｇｇｉｎｇを中断することも検討されている（非特許文献５）。なお、再び“ｃａｍｐｅｄ  ｎｏｒｍａｌｌｙ”ｓｔａｔｅに戻り、その時点で、ＩｄｌｅＭＤＴＣｏｎｆｉｇｕｒａｔｉｏｎが有効な場合には、ＭＤＴ  ｍｅａｓｕｒｅｍｅｎｔ、Ｌｏｇｇｉｎｇを再開する。  
【０１０９】
ここで、カバレッジホールとは、帰属セル（ｓｅｒｖｉｎｇ  ｃｅｌｌ）や予め定められたサービス、例えば通常サービス（発呼、着呼、ユーザデータ送受信、等）を受ける（行う）為の帰属（「接続」、「無線リンクの確立」ともいう）が許可されている隣接セル（ｎｅｉｇｈｂｏｕｒ  ｃｅｌｌ）のＳＮＲ（Ｓｉｇｎａｌ  ｔｏ  Ｎｏｉｓｅ  Ｒａｔｉｏ：信号対雑音比）又はＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）が、基本サービス（ＳＲＢ（Ｓｉｇｎａｌｉｎｇ  Ｒａｄｉｏ  Ｂｅａｒｅｒ：シグナリング無線ベアラ）の確立、及びＤＬ  ｃｏｍｍｏｎ  ｃｈａｎｎｅｌｓ（下り共通チャネル）で送られる情報の取得）を維持するために必要な所定値を下回っているエリアをいう。ここで、ＳＲＢは、制御メッセージであるＲＲＣ（無線資源制御）メッセージを運ぶためのベアラである。  
【０１１０】
なお、無線端末（ＵＥ）がいつの時点でカバレッジホールと判定するかについては、例えば、
・“ｃａｍｐｅｄ  ｎｏｒｍａｌｌｙ”  ｓｔａｔｅの間に帰属を許可されたセルを選択できなかった（報知情報を取得できなかった）場合、
・“ａｎｙ  ｃｅｌｌ  ｓｅｌｅｃｔｉｏｎ”  ｓｔａｔｅの間に帰属を許可されたセルを選択できなかった場合、
・“ｃａｍｐｅｄ  ｏｎ  ａｎｙ  ｃｅｌｌ”  ｓｔａｔｅの間に帰属を許可されたセルを選択できなかった場合、
等が挙げられる。本明細書では、例として、“ｃａｍｐｅｄ  ｎｏｒｍａｌｌｙ”  ｓｔａｔｅの間に帰属を許可されたセルを選択できなかった場合にカバレッジホールと判定するものとする。
【０１１１】
Ｌｏｇｇｅｄ  ＭＤＴに設定された無線端末（ＵＥ）は、アイドル状態で測定を行い、アクティブ状態となると、測定結果を報告する。アイドル状態でＬｏｇｇｅｄ  ＭＤＴを実行するように無線ネットワーク側から設定された無線端末（ＵＥ）は、例えば、ＲＲＣ＿ＣＯＮＮＥＣＴＥＤ状態に遷移する場合のＲＲＣ接続確立時に、ＲＲＣ接続完了（ＲＲＣ＿ＣＯＮＮＥＣＴＩＯＮ  Ｓｅｔｕｐ  Ｃｏｍｐｌｅｔｅ）メッセージ内の１ビットを用いて、ＭＤＴ測定結果が利用可能である（ログを保有している）ことを指示する。無線ネットワークは、この指示に基づき、ログを検索（収集）（ｒｅｔｒｉｅｖｅ）する。例えばＥ−ＵＴＲＡＮの無線基地局（ｅＮＢ）は、ログ検索（収集）のため、無線端末（ＵＥ）に、無線端末（ＵＥ）情報要求（ＵＥ  Ｉｎｆｏｒｍａｔｉｏｎ  Ｒｅｑｕｅｓｔ）を送信し、無線端末（ＵＥ）は、ＵＥ情報応答（ＵＥ  Ｉｎｆｏｒｍａｔｉｏｎ  Ｒｅｓｐｏｎｃｅ）として、ログを報告する。これにより、ｅＮＢあるいは、ＯＡＭ／ＳＯＮサーバにて、カバレッジの問題を把握することができる。
【０１１２】
なお、ネットワークからの無線端末（ＵＥ）で保有するログ（測定結果）の検索（収集、無線端末から保有ログ（測定結果）の報告をすることを、本明細書では、ログの検索（収集）（Ｌｏｇ  ｒｅｔｒｉｅｖａｌ）という。
【０１１３】
図８は、本発明の第４の実施形態のシーケンス動作を説明する図である。ｅＮＢ１は、Ｌｏｇｇｅｄ  ＭＤＴのコンフィギュレーション・メッセージで、アクティブ状態（ＲＲＣ＿ＣＯＮＥＮＣＴＥＤ）のＵＥ１〜ＵＥｎに対し、アイドル状態で受信品質の測定と記録（ログ）を行い、アクティブ状態になったら、保有する測定結果のログを報告するように指示する（Ｓ２０、Ｓ２１）。ＵＥ１〜ＵＥｎは、アイドル状態となり（Ｓ２２、Ｓ２４：Ｇｏ  ｔｏ  Ｉｄｌｅ）、帰属（サービング）セル、隣接セルの測定とログを行う（Ｓ２３、Ｓ２５：Ｍｅａｓｕｒｅｍｅｎｔ  ａｎｄ  ｌｏｇｇｉｎｇ）。
【０１１４】
次に、ＵＥ１は、サービングセルの基地局ｅＮＢ１の受信品質の劣化を検出し、滞在エリアがカバレッジホールであることを検出したものとする（Ｓ２６：Ｃｏｖｅｒａｇｅ  ｈｏｌｅ  ｄｅｔｅｃｔｉｏｎ）。なお、カバレッジホール検出時、ＵＥ１がｅＮＢ１、ｅＮＢ２のセルの測定を行っても良いし、行わなくても良い。さらに、ＨｅＮＢのセルの測定も行っても良い。なお、これらの測定は、ＵＥ１〜ＵＥｎが自発的に行っても良いし、Ｌｏｇｇｅｄ  ＭＤＴのコンフィギュレーション・メッセージでＵＥ１〜ＵＥｎに指示を出すことで行うようにしても良い。さらに、ＨｅＮＢに対する測定を行うように指示しても良い。一方、カバレッジホール検出までの所定期間の間に、ｅＮＢ１、ｅＮＢ２、ＨｅＮＢのセルの測定を行い、所定期間後（つまり、カバレッジホール検出後）は、測定を中断するようにしてもよい。
【０１１５】
その後、ＵＥ１は適切なセルを検出したものとする（Ｓ２７：Ｆｉｎｄ  ｓｕｉｔａｂｌｅ  ｃｅｌｌ）（ここでは、ｅＮＢ１を検出したものとする）。なお、ＵＥでのセル検出方法は、公知の手法が用いられる（非特許文献７）。
【０１１６】
その後、ＵＥ１〜ＵＥｎは、それぞれｅＮＢ１と無線リンク(ＲＲＣ  Ｃｏｎｎｅｃｔｉｏｎ)を確立し、アクティブ状態となり（Ｓ２８、Ｓ２９：Ｇｏ  ｔｏ  Ａｃｔｉｖｅ）、測定結果をそれぞれ基地局ｅＮＢ１に報告する（Ｓ３０、Ｓ３１：Ｍｅａｓｕｒｅｍｅｔ  ｒｅｔｒｉｅｖａｌ）。
【０１１７】
ｅＮＢ１は、ＵＥ１〜ＵＥからそれぞれ報告された測定結果をＯＡＭ／ＳＯＮサーバに報告する（Ｓ３２：Ｒｅｐｏｒｔ）。
【０１１８】
ＯＡＭ／ＳＯＮサーバでは、測定報告をマクロセル、フェムトセル、等への分類するフィルタリング処理を行う（Ｓ３３：Ｍｅａｓｕｒｅｍｅｎｔ  ｒｅｐｏｒｔ  ｆｉｌｔｅｒｉｎｇ）。これにより、ＯＡＭ／ＳＯＮサーバは、マクロセル間のカバレッジ最適化や干渉最適化、マクロ−フェムトセル間の干渉最適化等の最適化処理を決定する（Ｓ３４：Ｏｐｔｉｍｉｚａｔｉｏｎ  ｐｒｏｃｅｓｓ  ｄｅｃｉｓｉｏｎ）。
【０１１９】
ＯＡＭ／ＳＯＮサーバは、最適化の為の調整をｅＮＢ１に指示する（Ｓ３５：Ａｄｊｕｓｔ  ｆｏｒ  ｏｐｔｉｍｉｚａｔｉｏｎ）。ｅＮＢ１は、該最適化の為の調整指示を受け、無線ネットワーク設定（無線パラメータやネットワーク運用パラメータの設定）を調整し、カバレッジ最適化・干渉最適化などを行う（Ｓ３６：Ｏｐｔｉｍｉｚａｔｉｏｎ）。
【０１２０】
ｅＮＢ１のマクロセルでＵＥ１がカバレッジホールを検出した時、隣接セルであるフェムトセルの基地局ＨｅＮＢからの干渉が該カバレッジホールの要因である場合、セルサイズを縮小する代わりに、マクロ−フェムト間の干渉最適化を行う。これにより、マクロセルのカバレッジを不必要に縮小し、カバレッジホール（不感地）を発生させることを防ぐことができる。このように、本実施形態によれば、Ｌｏｇｇｅｄ  ＭＤＴを設定されたＵＥからの測定報告に基づき、カバレッジホールの干渉要因を識別し、カバレッジ最適化や干渉最適化などの対策を講ずることができる。
【０１２１】
＜カバレッジ最適化・干渉最適化のアルゴリズムの別の例＞
図９は、カバレッジ最適化や干渉最適化の別の例（前述したアルゴリズムとは異なる例）を説明する図である。図９を参照して、カバレッジ最適化や干渉最適化の別の例を説明する。
【０１２２】
図９において、マクロセルの基地局ＵＥａ、ＵＥｂがそれぞれｅＮＢ１、ｅＮＢ３へ測定報告（ｍｅａｓｕｒｅｍｅｎｔ  ｒｅｐｏｒｔ）を送信する（１ａ、１ｂ：Ｍｅａｓ  ｒｅｐｏｒｔ）。
【０１２３】
ここで、ＵＥａは、隣接セルＣｅｌｌ２、Ｃｅｌｌ３からの干渉、及び、セルＣｅｌｌ１内のフェムトセルからの干渉を受け、中でも、フェムトセルからの干渉が支配的であるものとする。
【０１２４】
また、ＵＥｂは、隣接マクロセルＣｅｌｌ１、Ｃｅｌｌ２からの干渉を受け、中でも、マクロセルＣｅｌｌ２からの干渉が支配的であるものとする。
【０１２５】
このとき、ＯＡＭ／ＳＯＮサーバは、各ｅＮＢからの測定報告（ｍｅａｓｕｒｅｍｅｎｔ  ｒｅｐｏｒｔ）の情報に基づき（２ａ：Ｒｅｐｏｒｔ）、最適化の為の対処法を決定する。
【０１２６】
ＵＥａのように、フェムトセルの干渉が支配的である報告をｅＮＢ１が多く受けていても、ＯＡＭ／ＳＯＮサーバは、Ｃｅｌｌ１のカバレッジ最適化の為の無線パラメータの変更は行わない。
【０１２７】
一方、ＵＥｂのように、隣接マクロセルＣｅｌｌ２の干渉が支配的である報告をｅＮＢ３が多く受けている場合には、ＯＡＭ／ＳＯＮサーバは、Ｃｅｌｌ３の基地局の無線パラメータの設定を変更し、カバレッジ最適化を図る。例えば、Ｃｅｌｌ２からの干渉を低減する為に、Ｃｅｌｌ３のカバレッジを縮小する（４ｂ：Ｓｈｒｉｎｋ  ｃｏｖｅｒａｇｅ  ｏｆ  Ｃｅｌｌ１）。
【０１２８】
ＵＥａのように、フェムトセルの干渉が支配的である報告をｅＮＢ１が多く受けている場合、Ｃｅｌｌ１及び／又はＨｅＮＢのセルＣｅｌｌ１と、フェムトセル間の干渉の最適化を図る。あるいは、フェムトセルのカバレッジ最適化を行っても良い。
【０１２９】
ここで、干渉回避の実現方法としては、
・ＯＡＭ／ＳＯＮサーバが、ｅＮＢ１に干渉最適化の指示を出し、ｅＮＢ１が自身だけ又はＨｅＮＢと協調して、干渉回避技術を実行するようにしても良いし、あるいは、
・ＯＡＭ／ＳＯＮサーバが、ｅＮＢ１とＨｅＮＢの両方に指示を出し、それぞれ干渉回避技術を実行するようにしても良い。
【０１３０】
より具体的には、ｅＮＢ１がマクロセルＣｅｌｌ１で使用する無線リソースと、ＨｅＮＢがフェムトセルで使用する無線リソース（時間・周波数・コードなど）を分ける。図９（Ｂ）の例では、Ｃｅｌｌ１で使用するサブフレームとフェムトセルで使用するサブフレームを分けている。なお、Ｃｅｌｌ１ではサブフレームに使用制限は設けず、フェムトセル側のみに使用制限を設けても良いし、反対に、フェムトセルではサブフレームに使用制限は設けず、Ｃｅｌｌ１側のみに使用制限を設けても良い。
【０１３１】
あるいは、ＨｅＮＢがフェムトセルで使用する周波数帯域を絞るようにしてもよい。図９（Ｃ）の例では、フェムトセルの周波数帯域を、高周波数側半分に縮小している。なお、周波数帯域は、システム帯域自体を絞っても良いし、データ送信する帯域のみ絞っても良い（但し、この場合、共通制御信号等は、周波数を絞る前と同じ帯域で送る）。
【０１３２】
あるいは、ｅＮＢ１がＣｅｌｌ１で設定する最大送信電力、及び／又は、ＨｅＮＢがフェムトセルで設定する最大送信電力を低減する。最大送信電力の低減は、リファレンス信号とデータの両方でも良いし、リファレンス信号のみ或いはデータのみでも良い。
【０１３３】
＜隣接セルの種類の識別＞
ヘテロジニアスネットワーク（Ｈｅｔｅｒｏｇｅｎｅｏｕｓ  Ｎｅｔｗｏｒｋ：ＨｅｔＮｅｔ）における隣接セルの種類の識別例について説明する。
【０１３４】
１）ＨｅｔＮｅｔ環境（一般）では、ＰＣＩ／ＰＳＣで隣接セルをマクロ／マイクロ／ピコ／Ｈ（ｅ）ＮＢと判定する。
【０１３５】
２）ＣＳＧ（Ｃｌｏｓｅｄ  Ｓｕｂｓｃｒｉｂｅｒ  Ｇｒｏｕｐ）セル（Ｈ（ｅ）ＮＢ）の混在時（ＣＳＧセルがＢｌａｃｋ  ｌｉｓｔ  に入っていない場合）、測定報告を行った無線端末（ＵＥ）のＩＤと該ＩＤにリンクされたＣＳＧ情報（どのＣＳＧセルに対する会員（メンバー）か）と、ＰＣＩ／ＰＳＣと該ＰＣＩ／ＰＳＣにリンクされたＣＳＧ  ＩＤ等の情報から隣接セルが非会員（ｎｏｎ−ｍｅｍｂｅｒ）ＣＳＧセルか否かを判定する。
【０１３６】
３）ＣＳＧ  ｃｅｌｌ（Ｈ（ｅ）ＮＢ）の混在（ＣＳＧ  ｃｅｌｌがＢｌａｃｋ  ｌｉｓｔ  に入っている場合、或いは、どのＣＳＧセルに対しても会員（ｍｅｍｂｅｒ：メンバー）ではなく、ＰＣＩ／ＰＳＣによって隣接セルがＣＳＧセルと判定できる場合）、帰属（サービング）セルのＲＳＲＱが予め定められた所定閾値より低く、さらに隣接セルの最大（あるいは上位Ｎ番目までの）ＲＳＲＰが予め定められた所定閾値より低い場合、周辺に強い干渉となっている、非会員（ｎｏｎ−ｍｅｍｂｅｒ：ノンメンバー）ＣＳＧセルがある（あった）と判定する。
【０１３７】
なお、ブラックリストは、無線端末（ＵＥ）に特定の隣接セルのメジャメント（品質測定）をさせないようにするリストである。
【０１３８】
ＣＳＧセルは、例えばフェムトセルの所有者や家族等、特定グループにアクセスを制限するものである。
【０１３９】
なお、上記３）では、無線端末（ＵＥ）がＣＳＧセルの測定をしないため、ＰＣＩ／ＰＳＣでの判定は不可能である。
【０１４０】
＜実施形態５＞
次に本発明の第５の実施形態について説明する。本実施形態では、無線端末（ＵＥ）が隣接セルの種類を識別し、測定や測定結果の報告を行う。背景には、無線ネットワーク側で、カバレッジの把握（「Ｃｏｖｅｒａｇｅ  ｍａｐｐｉｎｇ」とも呼ぶ）を行う為には、無線端末（ＵＥ）からできるだけ多くの測定報告を収集することが望まれる。しかしながら、無線端末（ＵＥ）からの測定報告を増大させると、測定報告の為の無線端末（ＵＥ）から基地局ｅＮＢへの上りのメッセージ（シグナリング）が増加し、上りデータ送信に使用できる無線リソースが減少してしまう、という問題がある。また、無線端末（ＵＥ）としては、多くの測定および測定報告を行うことで、バッテリ消費量が増大する、という問題もある。さらに、無線ネットワーク側から見て、無線端末（ＵＥ）からの測定報告のうち、必ずしも、全ての測定結果の報告が必要というわけでもない。すなわち、無線ネットワーク側では、特定の状況下の測定結果の報告を必要としている場合も想定される。この場合、必要でない（必要性の低い）情報の測定の実行及び該測定結果の報告は、余り意味をなさない。
【０１４１】
これらの問題を解決する為に、本実施形態では、無線端末（ＵＥ）側で測定対象あるいは測定結果を識別し、測定及び／又は測定結果の報告を行う。測定対象及び／又は測定結果の報告対象であるか否かの判定には、例えば、
・セルの種類（ヘテロジニアス・ネットワーク（Ｈｅｔｅｒｏｇｅｎｅｏｕｓ  Ｎｅｔｗｏｒｋ：ＨｅｔＮｅｔ）におけるマクロセル／マイクロ／ピコかフェムトセル（オープン、クローズド、ハイブリッド）か、又は、
・隣接セルリストのセルか隣接セルリスト外のセルか、又はブラックリストのセルか）
等を用いるようにしてもよい。
【０１４２】
無線基地局（ｅＮＢ）（又は基地局制御局：ＲＮＣ）は、無線端末（ＵＥ）に対して、特定の種類のセルに対して測定及び／又は測定結果の報告を行うように指示する。
【０１４３】
特定の種類のセルに対して測定と測定結果の報告を行わせる場合、無線端末（ＵＥ）は、該指示に従い、帰属（サービング）セルと該指示によって指定される種類の周辺（隣接）セルの受信品質の測定を行い、測定結果を無線基地局（ｅＮＢ）に報告する。
【０１４４】
特定の種類のセルに対する測定結果のみ報告させる場合には、無線端末（ＵＥ）には、セルの種類に関係なく、測定対象となるサービングセル及び隣接セルの受信品質の測定を行わせ、該測定結果の報告時に、報告対象となる特定の種類のセルか否かを判定させ、該当する測定結果のみ報告させる。これにより、無線端末による不必要な（必要性の低い）測定結果の報告のための上り無線リソースの使用を回避（低減）したり、無線端末における不必要な（必要性の低い）測定及び／又は測定結果の報告によるバッテリ消費を回避（低減）したりすることができる。さらに、無線ネットワーク側で必要な測定結果を効率的に収集することができる。
【０１４５】
＜無線端末における隣接セルの種類の識別＞
ヘテロジニアスネットワーク（Ｈｅｔｅｒｏｇｅｎｅｏｕｓ  Ｎｅｔｗｏｒｋ：ＨｅｔＮｅｔ）における、無線端末による隣接セルの種類の識別例について説明する。
【０１４６】
１）ＣＳＧセル（Ｈ（ｅ）ＮＢ）の混在時（ＣＳＧセルがＢｌａｃｋ  ｌｉｓｔに入っていない場合）、無線端末が過去に帰属したＣＳＧセルのＰＣＩ／ＰＳＣを記憶しておき、該ＰＣＩ／ＰＳＣかどうかで隣接セルが会員（ｍｅｍｂｅｒ：メンバー）ＣＳＧセルか否かを判定する。なお、この方法では、より厳密に判定する為に、
・ＰＣＩ／ＰＳＣだけでなく、
・ｍｅｍｂｅｒ  ＣＳＧセルが存在するトラッキングエリアと同じか否か、
・サービングセルがｍｅｍｂｅｒ  ＣＳＧセルの周辺にあるセルか否か、
等その他の情報も必要となる。また、
無線端末（ＵＥ）が、どのＣＳＧセルのｍｅｍｂｅｒでもない場合、且つ、ＰＣＩ／ＰＳＣでＣＳＧセルか否かが判定できる場合、検出したＰＣＩ／ＰＳＣでＣＳＧセル（この場合、ｎｏｎ−ｍｅｍｂｅｒ）であるか否かを判定する。
【０１４７】
２）ＣＳＧセル（Ｈ（ｅ）ＮＢ）の混在（ＣＳＧセルがＢｌａｃｋ  ｌｉｓｔに入っている場合、あるいは、どのＣＳＧセルに対しても会員（ｍｅｍｂｅｒ：メンバー）ではなく、ＰＣＩ／ＰＳＣによって隣接セルがＣＳＧセルと判定できる場合）、
・帰属（サービング）セルのＲＳＲＱが予め定められた所定閾値より低く、
・さらに隣接セルの最大（あるいは上位Ｎ番目までの）ＲＳＲＰが予め定められた所定閾値より低い場合に、
周辺に強い干渉となる、ｎｏｎ−ｍｅｍｂｅｒ  ＣＳＧセルがあると判定する。なお、この方法では、該ＣＳＧセルの干渉（受信品質）を測定報告はしないが、代わりに“強い干渉となるＣＳＧセルが存在する”ということを通知するようにしても良い。
【０１４８】
なお、上記非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【０１４９】
１０  無線端末
１１  測定指示取得部
１２  測定実施部
１３  測定結果報告部
２０  基地局／基地局制御局
２１  測定指示部
２２  測定結果取得部
２３  測定結果報告部
２４  無線パラメータ設定変更部
３０  ＯＡＭ/ＳＯＮサーバ
３１  測定結果取得部
３３  無線パラメータ設定指示部
【図１】
2012043307.tif 000003
【図２】
2012043307.tif 000004
【図３】
2012043307.tif 000005
【図４】
2012043307.tif 000006
【図５】
2012043307.tif 000007
【図６】
2012043307.tif 000008
【図７】
2012043307.tif 000009
【図８】
2012043307.tif 000010
【図９】
2012043307.tif 000011
【図１０】
2012043307.tif 000012
【図１１】
2012043307.tif 000013
【図１２】
2012043307.tif 000014
【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
第１の無線局と、
前記第１の無線局と同種の第２の無線局及び／又は前記第１の無線局と異種の第３の無線局と、
前記第１の無線局に帰属する無線端末と、
前記第１乃至第３の無線局の少なくとも１つと設定情報を交換する運用管理サーバと、
を備え、
前記第１の無線局は、前記無線端末に対して１つ以上の前記第２又は前記第３の無線局からの下り信号の受信品質の測定を指示し、
前記無線端末は、前記指示に従い前記測定を行い、
前記第１の無線局及び前記運用管理サーバの少なくとも１つが、
前記無線端末による測定結果の報告を受け、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた、ことを特徴とする無線通信システム。
【請求項２】
前記第１の無線局及び前記運用管理サーバの少なくとも１つによる前記無線ネットワーク設定の変更が、カバレッジ及びセル間干渉の少なくとも１つの最適化を目的とするものである、ことを特徴とする請求項１記載の無線通信システム。
【請求項３】
前記第１の無線局及び前記運用管理サーバの少なくとも１つは、
前記無線端末による測定報告に基づき、前記第２の無線局からの干渉又は干渉信号の受信品質が予め定められた第１の所定レベル以下であり、且つ、
前記第３の無線局からの干渉又は干渉信号の受信品質が予め定められた第２の所定レベル以上である場合、
前記無線ネットワーク設定の変更を行わない、ことを特徴とする請求項１又は２記載の無線通信システム。
【請求項４】
前記第１の無線局及び前記運用管理サーバの少なくとも１つは、
前記無線端末による測定報告に基づき、前記第２の無線局からの干渉又は干渉信号の受信品質が予め定められた第１の所定レベル以下であり、且つ、
前記第３の無線局からの干渉又は干渉信号の受信品質が予め定められた第２所定レベル以上である場合、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１又は２記載の無線通信システム。
【請求項５】
前記第１の所定レベルと前記第２の所定レベルの間に所定のオフセット値を有する、ことを特徴とする請求項３又は４記載の無線通信システム。
【請求項６】
前記第１の無線局及び前記運用管理サーバの少なくとも１つは、
前記無線端末による測定報告に基づき、前記第２の無線局からの干渉又は干渉信号の受信品質が予め定められた第３の所定レベル以上である報告が予め定められた第１の所定閾値未満であり、且つ、
前記第３の無線局からの干渉又は干渉信号の受信品質が予め定められた第４の所定レベル以上である報告が、予め定められた第２の所定閾値以上である場合、
前記無線ネットワーク設定の変更を行わない、ことを特徴とする請求項１又は２記載の無線通信システム。
【請求項７】
前記第１の無線局及び前記運用管理サーバの少なくとも１つは、
前記無線端末による測定報告に基づき、前記第２の無線局からの干渉又は干渉信号の受信品質が予め定められた第３の所定レベル以上である報告が予め定められた第１の所定閾値未満であり、且つ、
前記第３の無線局からの干渉又は干渉信号の受信品質が予め定められた第４の所定レベル以上である報告が予め定められた第２の所定閾値以上である場合、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１又は２記載の無線通信システム。
【請求項８】
前記第３の所定レベルと前記第４の所定レベルの間に所定のオフセット値を有する、ことを特徴とする請求項６又は７記載の無線通信システム。
【請求項９】
前記第１、第２の無線局がマクロセルの基地局であり
前記第３の無線局がフェムトセルの基地局であり、
前記無線端末は、前記第１の無線局からの測定の指示を受け、帰属するマクロセルと隣接セルの下り信号の受信品質を測定し、測定結果を前記第１の無線局に報告し、
前記第１の無線局は、前記無線端末からの前記報告を前記運用管理サーバに送信し、
前記運用管理サーバでは、前記無線端末から前記第１の無線局を介して送信された測定報告の内容を測定の対象となった隣接セルの種類別に集計し、
前記隣接セルの種類別に集計した測定報告の内容に基づき、隣接セルの受信品質が予め定められた所定値以上である報告において、予め定められた所定数以上の隣接セルがマクロセルの場合、
前記マクロセルの最適化が必要と判断し、
隣接セルの受信品質が前記所定値以上である報告において、前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、ことを特徴とする請求項２記載の無線通信システム。
【請求項１０】
前記第１、第２の無線局がマクロセルの基地局であり
前記第３の無線局がフェムトセルの基地局であり、
前記無線端末は、前記第１の無線局からの測定の指示を無線で受け、帰属するマクロセルと隣接セルの受信品質を測定し、測定結果を前記第１の無線局に報告し、
前記第１の無線局では、前記無線端末から送信された測定報告の内容を測定の対象となった隣接セルの種類別に集計した上で前記運用管理サーバに報告し、
前記運用管理サーバでは、
前記隣接セルの種類別に集計した測定報告の内容に基づき、隣接セルの受信品質が予め定められた所定値以上である報告において、予め定められた所定数以上の隣接セルがマクロセルの場合、
前記マクロセルの最適化が必要と判断し、
隣接セルの受信品質が前記所定値以上である報告において、前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、ことを特徴とする請求項２記載の無線通信システム。
【請求項１１】
前記第１の無線局及び前記運用管理サーバの少なくとも１つは、
前記無線端末による測定報告に基づき、隣接セルの受信品質が前記所定値以上である報告において、前記所定数以上の前記隣接セルがマクロセルである場合には、
カバレッジ増減によるカバレッジ最適化を実行し、
前記所定数以上の前記隣接セルがフェムトセルである場合には、フェムトセルからの干渉回避を実行する、ことを特徴とする請求項６記載の無線通信システム。
【請求項１２】
前記第１、第２の無線局がマクロセルの基地局であり
前記第３の無線局がフェムトセルの基地局であり、
前記無線端末は、前記第１の無線局からの測定の指示を無線で受け、帰属するマクロセルと隣接セルの受信品質を測定し、測定結果を前記第１の無線局に報告し、
前記第１の無線局では、
前記無線端末から送信された測定報告の内容を測定の対象となった隣接セルの種類別に集計し、前記第１の無線局で最適化が必要であると判断した場合、最適化を実行した上で前記運用管理サーバに報告し、
前記運用管理サーバでは、
前記隣接セルの種類別に集計した測定報告の内容に基づき、隣接セルの受信品質が予め定められた所定値以上である報告において、予め定められた所定数以上の隣接セルがマクロセルの場合、
前記マクロセルの最適化が必要と判断して最適化を実行し、
隣接セルの受信品質が前記所定値以上である報告において、前記所定数以上の隣接セルがフェムトセルの場合、
前記フェムトセルの最適化が必要と判断し、
対応する前記第２の無線局又は前記第３の無線局に対して最適化のために前記無線ネットワーク設定の調整を指示する、ことを特徴とする請求項１又は２記載の無線通信システム。
【請求項１３】
前記第１、第２の無線局がマクロセルの基地局であり
前記第３の無線局がフェムトセルの基地局であり、
前記無線端末による測定報告に基づき、前記第１の無線局のセルに隣接するフェムトセルの基地局からの下りリファレンス信号の受信品質（ＲＳＲＰ（Ｒｅｆｅｒｅｎｃｅ  Ｓｉｇｎａｌ  Ｒｅｃｅｉｖｅｄ  Ｐｏｗｅｒ）, ＲＳＲＱ（Ｒｅｆｅｒｅｎｃｅ  Ｓｉｇｎａｌ  Ｒｅｃｅｉｖｅｄ  Ｑｕａｌｉｔｙ））が予め定められた所定値以上である報告件数が、予め定められた所定数以上あり、且つ、
前記第１の無線局のセルに隣接するマクロセルの基地局からの下りリファレンス信号の受信品質（ＲＳＲＰ, ＲＳＲＱ）が予め定められた所定値以上である報告件数が、前記所定数未満である場合には、
マクロセル間のカバレッジ増減、干渉回避は行わず、
前記隣接マクロセルの基地局からの下りリファレンス信号の受信品質（ＲＳＲＰ, ＲＳＲＱ）が予め定められた所定値以上である報告件数が予め定められた前記所定値以上の場合には、
マクロセルのカバレッジ増減、干渉回避の為の最適化を行う、ことを特徴とする請求項１又は２記載の無線通信システム。
【請求項１４】
前記無線端末は、アイドル状態で測定及び記録を行い、
アイドル状態で、カバレッジホールを検出したのち、前記第１の無線局と無線リンクを確立してアクティブ状態となり、前記第１の無線局に測定結果を報告する、ことを特徴とする請求項１又は２記載の無線通信システム。
【請求項１５】
前記第１、第２の無線局がマクロセルの基地局であり
前記第３の無線局がフェムトセルの基地局であり、
前記第１の無線局が、
フェムトセルの干渉が支配的である報告を予め定められた所定数以上受けていても、マクロセルのカバレッジ最適化の為の無線ネットワーク設定の変更は行なわず、
隣接マクロセルの干渉が支配的である報告を予め定められた所定数以上受けている場合には、
前記隣接マクロセルの基地局の無線ネットワーク設定を変更し、カバレッジ最適化を図る、ことを特徴とする請求項１又は２記載の無線通信システム。
【請求項１６】
第１の無線局から無線端末に対して、前記第１の無線局と同種の第２の無線局及び前記第１の無線局と異種の第３の無線局の少なくとも一方からなる１つ以上の無線局から受ける干渉の測定を指示し、
前記無線端末は前記指示に従い測定を行い、
前記第１の無線局及び運用管理サーバの少なくとも１つにより、
前記無線端末による測定結果の報告を受け、前記報告から前記無線局の種類を識別して、前記第１の無線局乃至第３の無線局の少なくとも１つの無線局の無線ネットワーク設定の変更の要否の判断、及び前記無線ネットワーク設定の変更の少なくとも１つを実行する、ことを特徴とする無線通信方法。
【請求項１７】
前記第１の無線局及び前記運用管理サーバの少なくとも１つによる無線ネットワーク設定の変更が、カバレッジ及びセル間干渉の少なくとも１つの最適化を目的とするものである、ことを特徴とする請求項１６記載の無線通信方法。
【請求項１８】
前記第１の無線局及び前記運用管理サーバの少なくとも１つでは、
前記無線端末による測定報告に基づき、前記第２の無線局からの干渉又は干渉信号の受信品質が予め定められた第１の所定レベル以下であり、且つ、
前記第３の無線局からの干渉が又は干渉信号の受信品質予め定められた第２の所定レベル以上である場合、
前記無線ネットワーク設定の変更を行わないか、又は、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項１６又は１７記載の無線通信方法。
【請求項１９】
前記運用管理サーバでは、前記無線端末から前記第１の無線局を介して送信された測定報告の内容を測定の対象となった隣接セルの種類別に集計し、
前記隣接セルの種類別に集計した測定報告の内容に基づき、隣接セルの受信品質が予め定められた所定値以上である報告において、予め定められた所定数以上の隣接セルがマクロセルの場合、
前記マクロセルの最適化が必要と判断し、
隣接セルの受信品質が前記所定値以上である報告において、前記所定数以上の隣接セルがフェムトセルの場合、
前記フェムトセルの最適化が必要と判断し、
前記第１乃至第３の無線局のうち少なくとも１つの該等する無線局に対して、カバレッジ及びセル間干渉の少なくとも１つの最適化ために前記無線ネットワーク設定の調整を指示する、ことを特徴とする請求項１６又は１７記載の無線通信方法。
【請求項２０】
無線端末と無線接続する無線局であって、
前記無線端末に対して、前記無線局と同種の第２の無線局及び前記無線局と異種の第３の無線局の少なくとも一方からなる１つ以上の無線局から受ける干渉の測定を指示し、
前記無線端末による測定結果の報告を受け、前記報告から前記無線局の種類を識別して、前記無線局と前記第２及び第３の無線局の少なくとも１つの無線ネットワーク設定の変更の要否の判断、及び、前記無線ネットワーク設定の変更の少なくとも１つを実行する手段を備えた、ことを特徴とする無線局。
【請求項２１】
前記無線端末による測定報告に基づき、前記第２の無線局からの干渉又は干渉信号の受信品質が予め定められた第１の所定レベル以下であり、且つ、
前記第３の無線局からの干渉及び干渉信号の受信品質の少なくとも１つが予め定められた第２の所定レベル以上である場合、
前記無線ネットワーク設定の変更を行わないか、
前記第１の無線局と前記第３の無線局との間のセル間干渉の最適化を、前記第１の無線局及び前記第２の無線局の少なくとも１つにおけるカバレッジの最適化よりも優先して実行する、ことを特徴とする請求項２０記載の無線局。
【請求項２２】
第１の無線局が、無線端末に対して、前記第１の無線局と同種の第２の無線局及び前記第１の無線局と異種の第３の無線局の少なくとも一方からなる１つ以上の無線局から受ける干渉の測定を指示し、
前記無線端末による測定結果の報告を前記第１の無線局を介して受け取り、前記報告から前記無線局の種類を識別して、前記第１乃至第３の無線局の少なくとも１つの無線局の無線ネットワーク設定の変更の要否の判断、及び、前記無線ネットワーク設定の変更の少なくとも１つを実行する手段を備えた、ことを特徴とする運用管理サーバ装置。
【請求項２３】
前記無線端末による測定報告に基づき、前記第２の無線局からの干渉又は干渉信号の受信品質が予め定められた第１の所定レベル以下であり、且つ、
前記第３の無線局からの干渉又は干渉信号の受信品質が予め定められた第２の所定レベル以上である場合、
前記運用管理サーバ装置は、
前記無線ネットワーク設定の変更を行わないか、
前記第１の無線局と前記第３の無線局との間のセル間干渉の最適化を、前記第１の無線局及び／又は前記第２の無線局におけるカバレッジの最適化よりも優先して実行する、ことを特徴とする請求項２２記載の運用管理サーバ装置。
【請求項２４】
前記無線端末による測定報告に基づき、隣接セルの受信品質が予め定められた所定値以上である報告において、予め定められた所定数以上の隣接セルがマクロセルの場合、
前記マクロセルの最適化が必要と判断し、
隣接セルの受信品質が前記所定値以上である報告において、前記所定数以上の隣接セルがフェムトセルを含む場合、
フェムトセルの最適化が必要と判断し、
前記第１乃至第３の無線局のうち少なくとも１つの該等する無線局に対して、カバレッジ及びセル間干渉の少なくとも１つの最適化のために前記無線ネットワーク設定の調整を指示する、請求項２２記載の運用管理サーバ装置。
【手続補正２】
【補正対象書類名】明細書
【補正対象項目名】００６１
【補正方法】変更
【補正の内容】
【００６１】
ＯＡＭ／ＳＯＮサーバ３０（運用管理サーバ）は、基地局２０の測定結果報告部２３から測定結果を受け取る測定結果取得部３１と、測定結果に基づき干渉の識別を行う干渉識別部３２と、無線パラメータ設定指示部３３を備えている。無線パラメータ設定指示部３３は、無線パラメータ設定指示を基地局２０に対して行う。
【手続補正３】
【補正対象書類名】明細書
【補正対象項目名】０１２２
【補正方法】変更
【補正の内容】
【０１２２】
図９において、無線端末ＵＥａ、ＵＥｂがそれぞれｅＮＢ１、ｅＮＢ３へ測定報告（ｍｅａｓｕｒｅｍｅｎｔ  ｒｅｐｏｒｔ）を送信する（１ａ、１ｂ：Ｍｅａｓ  ｒｅｐｏｒｔ）。
【手続補正４】
【補正対象書類名】明細書
【補正対象項目名】０１２７
【補正方法】変更
【補正の内容】
【０１２７】
一方、ＵＥｂのように、隣接マクロセルＣｅｌｌ２の干渉が支配的である報告をｅＮＢ３が多く受けている場合には、ＯＡＭ／ＳＯＮサーバは、Ｃｅｌｌ３の基地局の無線パラメータの設定を変更し、カバレッジ最適化を図る。例えば、Ｃｅｌｌ２からの干渉を低減する為に、Ｃｅｌｌ３のカバレッジを縮小する（４ｂ：Ｓｈｒｉｎｋ  ｃｏｖｅｒａｇｅ  ｏｆ  Ｃｅｌｌ３）。
【手続補正５】
【補正対象書類名】明細書
【補正対象項目名】０１２８
【補正方法】変更
【補正の内容】
【０１２８】
ＵＥａのように、フェムトセルの干渉が支配的である報告をｅＮＢ１が多く受けている場合、Ｃｅｌｌ１とＨｅＮＢのセル間と、フェムトセル間の干渉の最適化を図る。あるいは、フェムトセルのカバレッジ最適化を行っても良い。
【手続補正６】
【補正対象書類名】図面
【補正対象項目名】図９
【補正方法】変更
【補正の内容】
【図９】
2012043307.tif 000015
【国際調査報告】
2012043307.tif 000016
2012043307.tif 000017
2012043307.tif 000018